(57)【特許請求の範囲】
【請求項１】
利用者を被写体とした撮影を行い、撮影画像を生成する撮影部と、
編集対象の前記撮影画像が拡大表示される編集領域、および、前記利用者の携帯端末に送信されるための画像である携帯専用画像を作成するときに操作される作成ボタンを含む第１の領域と第２の領域とが左右に配置された、前記撮影画像の編集に用いられる編集画面であって、前記第１の領域の前記作成ボタンが操作された場合には、前記携帯専用画像の作成画面が前記第１の領域に表示され、前記第２の領域の前記作成ボタンが操作された場合には、前記作成画面が前記第２の領域に表示されるようになっている前記編集画面を表示させる表示制御部と、
前記携帯専用画像を作成することが前記利用者により選択されたか否かを判定し、前記携帯専用画像を作成することが選択されたと判定した場合、前記作成画面に対する前記利用者の操作に応じた画像処理を前記撮影画像に施して前記携帯専用画像を作成し、前記第１の領域の前記作成ボタンと前記第２の領域の前記作成ボタンが操作されなかったために前記携帯専用画像を作成することが選択されなかったと判定した場合、前記利用者の操作によらずに、異なる所定の画像処理を前記撮影画像に施して２種類の前記携帯専用画像を作成する作成部と、
前記携帯専用画像をサーバに送信する送信部と
を備える写真作成ゲーム機。
【請求項２】
前記携帯専用画像を作成するときに前記撮影画像に施す画像処理の内容を規定するテンプレートを複数種類記憶する記憶部をさらに備える
請求項１に記載の写真作成ゲーム機。
【請求項３】
前記作成部は、前記利用者による操作によらずに、複数種類の前記テンプレートの中から所定の前記テンプレートを無作為に選択し、選択した前記テンプレートに応じた画像処理を、所定の前記撮影画像に施して前記携帯専用画像を作成する
請求項２に記載の写真作成ゲーム機。
【請求項４】
前記作成部は、複数種類の前記テンプレートの中から２種類の前記テンプレートを無作為に選択し、選択した前記テンプレートに応じた画像処理を、所定の前記撮影画像にそれぞれ施して２種類の前記携帯専用画像を作成する
請求項２に記載の写真作成ゲーム機。
【請求項５】
前記作成部は、あらかじめ用意された複数の前記テンプレートのうち、前記撮影画像のトリミングを行わないで、前記撮影画像を所定の位置に配置する前記テンプレートを選択する
請求項３または４に記載の写真作成ゲーム機。
【請求項６】
前記作成部は、前記撮影画像の編集に割り当てられた時間が経過したタイミング、または、前記撮影画像の編集を終了することが前記利用者により選択されたタイミングで、前記利用者の操作に応じた画像処理を前記撮影画像に施して前記携帯専用画像を作成しているか否かを判定する
請求項１乃至５のいずれかに記載の写真作成ゲーム機。
【請求項７】
編集済みの前記撮影画像をシール紙に印刷する印刷部をさらに備え、
前記携帯専用画像は、前記シール紙に印刷されない画像である
請求項１乃至６のいずれかに記載の写真作成ゲーム機。
【請求項８】
前記作成部は、前記撮影画像に写る前記利用者の背景に、格子状の模様の画像を合成する処理を含む画像処理を施して前記携帯専用画像を作成する
請求項１乃至７のいずれかに記載の写真作成ゲーム機。
【請求項９】
前記携帯専用画像の縦横比は、前記撮影画像の縦横比と異なる
請求項１乃至８のいずれかに記載の写真作成ゲーム機。
【請求項１０】
前記携帯専用画像は正方形の画像である
請求項１乃至９のいずれかに記載の写真作成ゲーム機。
【請求項１１】
利用者を被写体とした撮影を行い、撮影画像を生成し、
編集対象の前記撮影画像が拡大表示される編集領域、および、前記利用者の携帯端末に送信されるための画像である携帯専用画像を作成するときに操作される作成ボタンを含む第１の領域と第２の領域とが左右に配置された、前記撮影画像の編集に用いられる編集画面であって、前記第１の領域の前記作成ボタンが操作された場合には、前記携帯専用画像の作成画面が前記第１の領域に表示され、前記第２の領域の前記作成ボタンが操作された場合には、前記作成画面が前記第２の領域に表示されるようになっている前記編集画面を表示させ、
前記携帯専用画像を作成することが前記利用者により選択されたか否かを判定し、
前記携帯専用画像を作成することが選択されたと判定した場合、前記作成画面に対する前記利用者の操作に応じた画像処理を前記撮影画像に施して前記携帯専用画像を作成し、
前記第１の領域の前記作成ボタンと前記第２の領域の前記作成ボタンが操作されなかったために前記携帯専用画像を作成することが選択されなかったと判定した場合、前記利用者の操作によらずに、異なる所定の画像処理を前記撮影画像に施して２種類の前記携帯専用画像を作成し、
前記携帯専用画像をサーバに送信する
ステップを含む画像処理方法。
【発明の詳細な説明】
【技術分野】
【０００１】
本技術は、写真作成ゲーム機および画像処理方法に関し、特に、携帯端末に送信する専用の画像を確実に提供することで、利用者の満足度を高めることができるようにした写真作成ゲーム機および画像処理方法に関する。
【背景技術】
【０００２】
従来、写真シール作成装置が知られている。写真シール作成装置は、利用者を撮影し、撮影画像に対して利用者に編集を行わせ、編集後の画像をシール紙に印刷して提供するものである。写真シール作成装置は遊戯施設などに設置される。
【０００３】
写真シール作成装置が提供する１ゲームの流れは、通常、撮影空間内にいる利用者を被写体として撮影を行った後、利用者を編集空間に移動させ、編集空間内で行われる操作に従って画像を編集して、編集済みの画像をシール紙に印刷するものとなる。
【０００４】
ところで、編集中、あるいは編集の終了後に、おまけ画像を作成することができる機能を有する写真シール作成装置がある。おまけ画像は、携帯電話機などの利用者の携帯端末に送信される画像であり、編集済みの画像とは異なり、シール紙には印刷されない。おまけ画像は、シール紙に印刷されずに、携帯端末上で見ることができる専用の画像という意味で「ケータイおまけ（登録商標）」などとも呼ばれる。
【０００５】
写真シール作成装置において作成されたおまけ画像は、例えば、写真シール作成装置から外部のサーバに送信され、外部のサーバを介して利用者の携帯端末に提供される。おまけ画像の提供を受けた利用者は、自身の携帯端末を操作し、SNS(Social Networking Service)にアップロードしたり、SNSのプロフィール画像に登録したりしておまけ画像を用いる。
【０００６】
特許文献１には、撮影画像の任意の範囲を所定のアスペクト比で切り取り、おまけ画像を作成することができるようにした技術が開示されている。このように、おまけ画像は、所定の撮影画像を元にして、トリミングなどの各種の画像処理を利用者の操作に応じて施すことによって作成される。
【先行技術文献】
【特許文献】
【０００７】
【特許文献１】特開２０１１−１９０７２号公報
【発明の概要】
【発明が解決しようとする課題】
【０００８】
おまけ画像の作成は、例えば、撮影画像の編集に用いられる編集画面の端に表示された作成ボタンを押したときに開始される。通常、編集画面の表示中は撮影画像の編集に気をとられるため、作成ボタンに気付かず、おまけ画像の作成機能を知らない利用者もいる。また、作成機能があることは知っていたとしても、どのようにすればおまけ画像を作成することができるのかを知らない利用者もいる。
【０００９】
このようなことから、おまけ画像の作成率はあまり高くない。従って、デザイン性の高いおまけ画像を作成できるようにしたとしても、その機能が使用されないことがある。
【００１０】
本技術はこのような状況に鑑みてなされたものであり、携帯端末に送信する専用の画像を確実に提供することで、利用者の満足度を高めることができるようにするものである。
【課題を解決するための手段】
【００１１】
本技術の一側面の写真作成ゲーム機は、利用者を被写体とした撮影を行い、撮影画像を生成する撮影部と、編集対象の前記撮影画像が拡大表示される編集領域、および、前記利用者の携帯端末に送信されるための画像である携帯専用画像を作成するときに操作される作成ボタンを含む第１の領域と第２の領域とが左右に配置された、前記撮影画像の編集に用いられる編集画面であって、前記第１の領域の前記作成ボタンが操作された場合には、前記携帯専用画像の作成画面が前記第１の領域に表示され、前記第２の領域の前記作成ボタンが操作された場合には、前記作成画面が前記第２の領域に表示されるようになっている前記編集画面を表示させる表示制御部と、前記携帯専用画像を作成することが前記利用者により選択されたか否かを判定し、前記携帯専用画像を作成することが選択されたと判定した場合、前記作成画面に対する前記利用者の操作に応じた画像処理を前記撮影画像に施して前記携帯専用画像を作成し、前記第１の領域の前記作成ボタンと前記第２の領域の前記作成ボタンが操作されなかったために前記携帯専用画像を作成することが選択されなかったと判定した場合、前記利用者の操作によらずに、異なる所定の画像処理を前記撮影画像に施して２種類の前記携帯専用画像を作成する作成部と、前記携帯専用画像をサーバに送信する送信部とを備える。
【００１２】
本技術の一側面においては、利用者を被写体とした撮影が行われることによって撮影画像が生成され、編集対象の前記撮影画像が拡大表示される編集領域、および、前記利用者の携帯端末に送信されるための画像である携帯専用画像を作成するときに操作される作成ボタンを含む第１の領域と第２の領域とが左右に配置された、前記撮影画像の編集に用いられる編集画面であって、前記第１の領域の前記作成ボタンが操作された場合には、前記携帯専用画像の作成画面が前記第１の領域に表示され、前記第２の領域の前記作成ボタンが操作された場合には、前記作成画面が前記第２の領域に表示されるようになっている前記編集画面が表示される。前記携帯専用画像を作成することが前記利用者により選択されたか否かが判定され、前記携帯専用画像を作成することが選択されたと判定された場合、前記作成画面に対する前記利用者の操作に応じた画像処理が前記撮影画像に施されて前記携帯専用画像が作成される。また、前記第１の領域の前記作成ボタンと前記第２の領域の前記作成ボタンが操作されなかったために前記携帯専用画像を作成することが選択されなかったと判定された場合、前記利用者の操作によらずに、異なる所定の画像処理が前記撮影画像に施されて２種類の前記携帯専用画像が作成され、前記携帯専用画像がサーバに送信される。
【発明の効果】
【００１３】
本技術によれば、携帯端末に送信する専用の画像を確実に提供することで、利用者の満足度を高めることができる。
【図面の簡単な説明】
【００１４】
【図１】本技術の一実施形態に係る写真シール作成装置の外観の構成例を示す斜視図である。
【図２】利用者の移動について説明する図である。
【図３】撮影部の構成例を示す斜視図である。
【図４】撮影部の構成例を示す正面図である。
【図５】背景部の構成例を示す図である。
【図６】編集ユニットの構成例を示す図である。
【図７】編集ユニットの右側面の構成例を示す図である。
【図８】シール紙の例を示す図である。
【図９】編集画像のレイヤ構造の例を示す図である。
【図１０】写真シール作成装置の内部の構成例を示すブロック図である。
【図１１】図１０の制御部の機能構成例を示すブロック図である。
【図１２】図１１の編集処理部の構成例を示すブロック図である。
【図１３】写真シール作成ゲーム処理について説明するフローチャートである。
【図１４】アップ画像の生成例を示す図である。
【図１５】全身画像の生成例を示す図である。
【図１６】図１３のステップＳ２において行われる編集処理について説明するフローチャートである。
【図１７】編集画面の例を示す図である。
【図１８】おまけ画像確認画面の第１の例を示す図である。
【図１９】おまけ画像確認画面の第２の例を示す図である。
【図２０】おまけ画像確認画面の第３の例を示す図である。
【図２１】図１６のステップＳ１６において行われる手動作成処理について説明するフローチャートである。
【図２２】デザイン選択画面の例を示す図である。
【図２３】サンプル画像を拡大して示す図である。
【図２４】背景画像の例を示す図である。
【図２５】選択画面の例を示す図である。
【図２６】おまけ画像の例を示す図である。
【図２７】作成画面の例を示す図である。
【図２８】図１６のステップＳ１９において行われる自動作成処理について説明するフローチャートである。
【図２９】自動作成処理によって作成されたおまけ画像の例を示す図である。
【図３０】名前入力画面の例を示す図である。
【図３１】名前入力画面の他の例を示す図である。
【図３２】名前入力画面のさらに他の例を示す図である。
【図３３】名前入力画面の例を示す図である。
【発明を実施するための形態】
【００１５】
＜＜実施例１＞＞
＜写真シール作成装置の外観構成＞
図１は、写真シール作成装置１の外観の構成例を示す斜視図である。
【００１６】
写真シール作成装置１は、撮影画像や編集済みの画像を提供するゲーム機である。写真シール作成装置１は、画像をシール紙に印刷したり、利用者の携帯端末上で画像を閲覧可能にするためにその画像をサーバに送信したりすることで、利用者に画像を提供する。
【００１７】
写真シール作成装置１は、アミューズメント施設や店舗に設置される。写真シール作成装置１の利用者は、主に女子高校生や女子大学生などの若い女性が中心とされる。写真シール作成装置１において、１組あたり主に２人や３人などの複数人の利用者がゲームを楽しむことができる。もちろん、１人の利用者がゲームを楽しむこともできる。
【００１８】
写真シール作成装置１において、利用者は、自身が被写体となって撮影作業を行う。利用者は、編集作業を行うことによって、撮影によって得られた撮影画像に対して、手書きの文字やスタンプ画像などの合成用画像を合成させる。これにより、撮影画像が彩り豊かな画像に編集される。利用者は、編集済みの画像である編集画像が印刷されたシール紙を受け取って一連のゲームを終了させる。
【００１９】
写真シール作成装置１は、シール紙に印刷して画像を提供するだけでなく、利用者が有する携帯端末に送信することによって画像を提供する機能をも有する。
【００２０】
写真シール作成装置１から送信される画像には、撮影画像、編集画像だけでなく、おまけ画像も含まれる。おまけ画像は、携帯電話機などの利用者の携帯端末に送信されるための画像であり、シール紙には印刷されない。おまけ画像は、携帯端末に送信する専用の画像といえる。
【００２１】
後に詳述するように、おまけ画像は、撮影画像の編集中に、利用者の操作に応じた各種の画像処理を撮影画像に施すことによって作成される。おまけ画像の作成は、撮影画像の編集に用いられる編集画面に表示された作成ボタンが押されたときに開始される。
【００２２】
また、おまけ画像は、おまけ画像を作成する明示的な指示がないまま編集が終了した場合にも、写真シール作成装置１により自動的に作成される。写真シール作成装置１により自動的に作成されたおまけ画像も、利用者による操作に応じて作成されたおまけ画像と同様に、所定のタイミングで送信され、利用者に提供される。
【００２３】
このように、写真シール作成装置１は、おまけ画像を作成する機能として、利用者の操作に応じて作成する機能と、利用者の操作によらずに自動的に作成する機能とを有する。
【００２４】
写真シール作成装置１は、撮影ユニット１１と編集ユニット１２が接した状態で設置されることによって構成される。撮影ユニット１１と編集ユニット１２は電気的に接続される。撮影ユニット１１は、人が中に入ることができる程度の大きさを有する箱形状の筐体を有する。
【００２５】
撮影ユニット１１は、撮影部２１と背景部２２から構成される。撮影部２１と背景部２２は離して設置される。撮影部２１と背景部２２の間に設けられる空間が、利用者が撮影作業を行う撮影空間となる。
【００２６】
撮影部２１は、利用者を被写体として撮影する装置である。撮影空間に臨む撮影部２１の正面にはカメラなどが設けられる。撮影部２１の、編集ユニット１２と接する面には正面パネル４１が設けられる。撮影空間にいる利用者から見て右側の面を右側面、左側の面を左側面とすると、撮影部２１の右側面が側面パネル４２Ａにより構成され、左側面が側面パネル４２Ｂ（図２）により構成される。
【００２７】
背景部２２は、それぞれ板状の部材である背面パネル５１、側面パネル５２Ａ、および側面パネル５２Ｂ（図２）から構成される。背面パネル５１は、正面を向いている利用者の背面側に位置する。側面パネル５２Ａは、背面パネル５１の右端に取り付けられ、側面パネル５２Ｂは、背面パネル５１の左端に取り付けられる。
【００２８】
側面パネル４２Ａと側面パネル５２Ａは、所定の間隔をあけてほぼ同一平面に設けられる。側面パネル４２Ａと側面パネル５２Ａの上部は、板状の部材である連結部３１Ａによって連結される。また、側面パネル４２Ａと側面パネル５２Ａの下部は、床面に設けられた例えば金属製の部材である連結部３４によって連結される。
【００２９】
側面パネル４２Ｂと側面パネル５２Ｂも同様にほぼ同一平面に設けられる。側面パネル４２Ｂと側面パネル５２Ｂの上部は連結部３１Ｂによって連結される。側面パネル４２Ａと側面パネル５２Ａの下部は、床面に設けた金属製の部材（図示せず）によって連結される。
【００３０】
側面パネル４２Ａ、連結部３１Ａ、および側面パネル５２Ａに囲まれることによって形成される開口が、撮影空間の出入り口となる。また、側面パネル４２Ｂ、連結部３１Ｂ、および側面パネル５２Ｂに囲まれることによって形成される開口も、撮影空間の出入り口となる。
【００３１】
撮影空間の上方には、撮影部２１の正面パネル４１、連結部３１Ａ、連結部３１Ｂ、および背景部２２の背面パネル５１に囲まれる開口が形成される。その開口の一部を覆うように天井照明ユニット３２が設けられる。天井照明ユニット３２の一端は連結部３１Ａに固定され、他端は連結部３１Ｂに固定される。
【００３２】
天井照明ユニット３２の内部には蛍光灯が設けられる。天井照明ユニット３２は、撮影空間の照明として機能するとともに、撮影を行っている利用者に対してストロボ光を照射する。
【００３３】
編集ユニット１２は、撮影画像に編集を施すための装置である。編集ユニット１２は、一方の側面が撮影部２１の正面パネル４１に接するようにして、撮影ユニット１１に連結している。
【００３４】
図１に示される編集ユニット１２の構成を正面側の構成とすると、編集ユニット１２の正面側と背面側のそれぞれに、編集作業で用いられる構成が設けられる。この構成により、２組の利用者が同時に編集を行うことができる。
【００３５】
編集ユニット１２の正面側は、床面に対して垂直な面である面１２Ａと、面１２Ａの上方に形成された斜面１２Ｂから構成される。斜面１２Ｂには、編集作業に用いられる構成として、タブレット内蔵モニタやタッチペンが設けられる。
【００３６】
斜面１２Ｂの上方右側には、照明装置７３の一端を支持する柱状の支持部７１Ａ（図６）が設けられる。斜面１２Ｂの左側には、照明装置７３の他端を支持する柱状の支持部７１Ｂが設けられる。支持部７１Ａの右側には板状のパネル７２が設けられる。パネル７２の上面にはカーテンレール７５を支持する支持部７４が設けられる。
【００３７】
編集ユニット１２の上方にはカーテンレール７５が取り付けられる。カーテンレール７５は、３本のレール７５Ａ乃至７５Ｃが組み合わされて構成される。３本のレール７５Ａ乃至７５Ｃは、上から見たときの形状がコの字状となるように組み合わされる。平行に設けられるレール７５Ａとレール７５Ｂの一端は、連結部３１Ａと連結部３１Ｂにそれぞれ固定され、レール７５Ａとレール７５Ｂの他端は、レール７５Ｃの両端にそれぞれ接合される。
【００３８】
カーテンレール７５には、編集ユニット１２の正面前方の空間と背面前方の空間が外から見えないようにカーテンが取り付けられる。そのカーテンにより囲まれる編集ユニット１２の正面前方の空間と背面後方の空間が、利用者が編集作業を行う編集空間となる。
【００３９】
後述するように、編集ユニット１２の右側面には、印刷済みのシール紙が排出される排出口が設けられる。編集ユニット１２の右側面前方の空間が、印刷が終了するのを利用者が待つ印刷待ち空間となる。
【００４０】
＜利用者の移動について＞
ここで、写真シール作成ゲームの流れと、それに伴う利用者の移動について説明する。
【００４１】
図２は、写真シール作成装置１を上から見た平面図である。
【００４２】
まず、利用者は、白抜き矢印＃１で示されるように出入り口Ｇ１から、または白抜き矢印＃２で示されるように出入り口Ｇ２から、撮影部２１と背景部２２の間に形成された撮影空間Ａ１に入る。出入り口Ｇ１は側面パネル４２Ａと側面パネル５２Ａの間の開口であり、出入り口Ｇ２は側面パネル４２Ｂと側面パネル５２Ｂの間の開口である。利用者は、撮影空間Ａ１において、撮影部２１に設けられたカメラやタッチパネルモニタなどを利用して撮影作業を行う。
【００４３】
撮影作業を終えた利用者は、白抜き矢印＃３で示されるように出入り口Ｇ１から撮影空間Ａ１を出て編集空間Ａ２−１に移動するか、白抜き矢印＃４で示されるように出入り口Ｇ２から撮影空間Ａ１を出て編集空間Ａ２−２に移動する。
【００４４】
編集空間Ａ２−１は、編集ユニット１２の正面側の編集空間である。一方、編集空間Ａ２−２は、編集ユニット１２の背面側の編集空間である。利用者が編集空間Ａ２−１と編集空間Ａ２−２のいずれの空間に移動するのかは、撮影部２１のタッチパネルモニタの画面表示などによって案内される。例えば２つの編集空間のうちの空いている方が移動先として案内される。
【００４５】
編集空間Ａ２−１または編集空間Ａ２−２に移動した利用者は、編集作業を開始する。編集空間Ａ２−１の利用者と編集空間Ａ２−２の利用者は同時に編集作業を行うことができる。
【００４６】
編集作業が終了した後、編集画像の印刷が開始される。印刷が開始されると、編集空間Ａ２−１での編集作業を終えた利用者は、白抜き矢印＃５で示されるように編集空間Ａ２−１から印刷待ち空間Ａ３に移動する。また、編集空間Ａ２−２での編集作業を終えた利用者は、白抜き矢印＃６で示されるように編集空間Ａ２−２から印刷待ち空間Ａ３に移動する。印刷待ち空間Ａ３に移動した利用者は、印刷が終了するのを待つ。
【００４７】
印刷が終了すると、利用者は、編集ユニット１２の右側面に設けられた排出口から排出されたシール紙を受け取り、一連の写真シール作成ゲームを終える。
【００４８】
次に、各部の構成について説明する。
【００４９】
＜撮影部の構成＞
図３は、撮影部２１の構成例を示す斜視図であり、図４は、撮影部２１の構成例を示す正面図である。
【００５０】
撮影部２１の外枠は、複数のキャスターが取り付けられたベース部４３に、正面パネル４１、側面パネル４２Ａ、および側面パネル４２Ｂが立設して構成される。
【００５１】
正面パネル４１の略中央には、略箱形状の撮影・表示ユニット１０１が設けられる。撮影・表示ユニット１０１の正面側には、上から順に、前下がりの斜面１０１Ａ、垂直に対して僅かに前傾した斜面１０１Ｂ、および、斜面１０１Ａより急な斜面１０１Ｃが形成される。
【００５２】
斜面１０１Ｂの略中央には円形の開口部が形成され、開口部には、撮影空間Ａ１にいる利用者を撮影するカメラ１１１のレンズが設けられる。撮影・表示ユニット１０１の内部には、例えば一眼レフカメラであるカメラ１１１がチルト可能に取り付けられている。
【００５３】
斜面１０１Ｃにはタッチパネルモニタ１１２が設けられる。タッチパネルモニタ１１２は、LCD(Liquid Crystal Display)などのモニタと、それに積層されたタッチパネルにより構成される。
【００５４】
タッチパネルモニタ１１２は、カメラ１１１により取り込まれた動画像（以下、ライブビュー画像ともいう）を表示するライブビューモニタとしての機能と、各種のGUI(Graphical User Interface)を表示して利用者の操作を受け付ける機能とを備える。タッチパネルモニタ１１２には、カメラ１１１により取り込まれたライブビュー画像や撮影画像が表示される。撮影画像は、所定のタイミングでカメラ１１１により取り込まれた静止画像である。
【００５５】
後に詳述するように、利用者は、自身の全身が写る画像である全身画像と、顔部分を中心として、自身の略胸から上の範囲が大きく写る画像であるアップ画像を撮影することができる。
【００５６】
正面パネル４１には、撮影・表示ユニット１０１を挟んで対称に発光部１０２Ｌと発光部１０２Ｒが形成される。発光部１０２Ｌと発光部１０２Ｒは、例えば正面パネル４１に形成された細幅の溝に、透光性を有するカバーが嵌め込まれることによって構成される。正面パネル４１に形成された細幅の溝にはLEDなどの発光体が設けられる。
【００５７】
図４に示すように、撮影・表示ユニット１０１の左側の発光部１０２Ｌは、細幅の直線状部１０２Ｌ−１乃至１０２Ｌ−３から構成される。直線状部１０２Ｌ−２は、その長さを撮影・表示ユニット１０１の縦方向の長さと略同じ長さにするように垂直方向に形成される。直線状部１０２Ｌ−１は、直線状部１０２Ｌ−２の上端から右斜め上方に向けて形成され、直線状部１０２Ｌ−３は、直線状部１０２Ｌ−１の下端から右斜め下方に向けて形成される。
【００５８】
一方、撮影・表示ユニット１０１の右側の発光部１０２Ｒは、細幅の直線状部１０２Ｒ−１乃至１０２Ｒ−３から構成される。直線状部１０２Ｒ−２は、その長さを撮影・表示ユニット１０１の縦方向の長さと略同じ長さにするように垂直方向に形成される。直線状部１０２Ｒ−１は、直線状部１０２Ｒ−２の上端から左斜め上方に向けて形成され、直線状部１０２Ｒ−３は、直線状部１０２Ｒ−２の下端から左斜め下方に向けて形成される。
【００５９】
図４に示されるように、発光部１０２Ｌと発光部１０２Ｒを合わせた形状は略六角形になる。発光部１０２Ｌと発光部１０２Ｒが発光することにより、撮影空間Ａ１の印象としてシャープな印象を演出することができる。
【００６０】
撮影・表示ユニット１０１の上方には、曲面のカバーを利用者に向けた上ストロボユニット１０３が設置される。上ストロボユニット１０３は、所定の取り付け部材を用いて、正面パネル４１などに固定される。上ストロボユニット１０３は、正面上方から、利用者の顔付近にストロボ光を照射する。
【００６１】
撮影・表示ユニット１０１の下方には、カメラ１１１による撮影に合わせて利用者の下半身にストロボ光を照射する足元ストロボユニット１０４が設けられる。足元ストロボユニット１０４の正面は垂直面を形成する板状部材１２１により構成され、上面は緩やかな斜面を形成する板状部材１２２により構成される。板状部材１２１と板状部材１２２は、乳白色のアクリル板などの透光性を有する板状部材である。
【００６２】
足元ストロボユニット１０４の板状部材１２１の左右には、垂直面を構成する板状部材１２３Ｌと板状部材１２３Ｒがそれぞれ設けられる。板状部材１２３Ｒには、利用者が硬貨を投入する硬貨投入口が設けられる。
【００６３】
足元ストロボユニット１０４の板状部材１２２の左右には、板状部材１２２と同様の緩やかな斜面を形成する板状部材１２４Ｌと板状部材１２４Ｒがそれぞれ設けられる。板状部材１２４Ｌと板状部材１２４Ｒにより形成される斜面は、利用者が手荷物を置くためなどに用いられる。
【００６４】
図示はしないが、正面パネル４１の例えば天井付近にはスピーカが設けられる。そのスピーカは、撮影作業に関する案内音声、BGM、効果音などを出力する。
【００６５】
＜背景部の構成＞
図５は、背景部２２の撮影空間Ａ１側の構成例を示す図である。
【００６６】
背面パネル５１の上方中央には背面上ストロボ１３１が設けられる。また、背面パネル５１の上方右側（図中、左側）には背面右ストロボ１３２が設けられ、背面パネル５１の上方左側（図中、右側）には背面左ストロボ１３３が設けられる。
【００６７】
背面上ストロボ１３１は、後方上側から利用者にストロボ光を照射する。背面右ストロボ１３２は、後方右側から利用者にストロボ光を照射する。背面左ストロボ１３３は、後方左側から利用者にストロボ光を照射する。
【００６８】
背面パネル５１の撮影空間Ａ１側（図中、手前側）の面は例えば緑色の面となる。また、図示はしないが、側面パネル５２Ａ，５２Ｂそれぞれの撮影空間Ａ１側の面も例えば緑色の面である。
【００６９】
これらの面の緑色は、クロマキ処理によって利用者の領域を抽出するための色である。これにより、撮影画像に対してクロマキ処理を施し、利用者が所望する背景画像を、撮影画像の背景部分に合成することができる。なお、これらの面の色は、クロマキ処理を行うことができる色であればよく、青色などの他の色であってもよい。
【００７０】
＜編集ユニットの構成＞
図６は、編集ユニット１２の正面側（編集空間Ａ２−１側）の構成例を示す図である。
【００７１】
斜面１２Ｂのほぼ中央には、タブレット内蔵モニタ１４１が設けられる。タブレット内蔵モニタ１４１の左右にはタッチペン１４２Ａとタッチペン１４２Ｂが設けられる。
【００７２】
タブレット内蔵モニタ１４１は、タッチペン１４２Ａ，１４２Ｂを用いた操作入力を受け付ける。タブレット内蔵モニタ１４１には、編集作業に用いられる編集画面などが表示される。例えば、タッチペン１４２Ａはタブレット内蔵モニタ１４１に向かって左側に立つ利用者により用いられ、タッチペン１４２Ｂはタブレット内蔵モニタ１４１に向かって右側に立つ利用者により用いられる。以下、適宜、タッチペン１４２Ａとタッチペン１４２Ｂを区別する必要がない場合、タッチペン１４２という。
【００７３】
図７は、編集ユニット１２の右側面の構成例を示す図である。
【００７４】
編集ユニット１２の右側面の下部にはシール紙排出口１５１が設けられる。編集ユニット１２の内部にはプリンタが設けられる。そのプリンタにより、編集空間Ａ２−１の利用者が編集を行った画像、または、編集空間Ａ２−２の利用者が編集を行った画像が所定のレイアウトでシール紙に印刷され、シール紙排出口１５１から排出される。
【００７５】
＜シール紙の例＞
図８は、以上のような外観構成を有する写真シール作成装置１により作成されるシール紙の例を示す図である。
【００７６】
図８に示す横長のシール紙には、５枚の編集画像である編集画像１６１−１乃至１６１−５が横に並べて印刷されている。
【００７７】
編集画像１６１−１乃至１６１−５のうち、編集画像１６１−１乃至１６１−３は、アップ画像に対して編集が施されることによって生成された画像であり、編集画像１６１−４と編集画像１６１−５は、全身画像に対して編集が施されることによって生成された画像である。
【００７８】
アップ画像と全身画像は縦横比が異なる。例えば、アップ画像の横方向の長さと縦方向の長さの比は１：１．２であり、全身画像の横方向の長さと縦方向の長さの比は３：４である。図８の例においては、アップ画像と全身画像が、横方向の長さを同じ長さとして印刷されている。なお、実際には、利用者の背景には、所定の色や柄の画像である背景画像が合成され、前景には、手書きの文字やスタンプ画像などの合成用画像が合成される。
【００７９】
シール紙の縁の余白には、機種名（LOVERY）と撮影日の他に、メールアドレス、IDなどが印刷される。余白領域に印刷されたメールアドレスとIDは、写真シール作成装置１からサーバに送信された、おまけ画像を含む画像を携帯端末で閲覧するときに利用される。
【００８０】
図９は、編集画像のレイヤ構造の例を示す図である。
【００８１】
左端の編集画像Ｐ１が編集によって生成される画像である。編集画像Ｐ１は、背景画像Ｐ１１、撮影画像Ｐ１２、前景画像Ｐ１３の各レイヤの画像から構成される。
【００８２】
図９の例において、背景画像Ｐ１１は、レンガを重ねた壁面の柄の画像である。前景画像Ｐ１３は、「Love my friend」の手書き文字の画像とハート型の画像を含む画像である。「Love my friend」の手書き文字の画像は、撮影画像Ｐ１２の中央下方の位置にペンツールを用いて利用者によって入力されたペン画像である。また、ハート型の画像は、撮影画像Ｐ１２の左上の位置にスタンプツールを用いて利用者によって入力されたスタンプ画像である。
【００８３】
このように、編集画像Ｐ１は、クロマキ処理によって抽出した撮影画像Ｐ１２の被写体の領域を背景画像Ｐ１１に重ね、その上に前景画像Ｐ１３を重ねることによって生成される。ペン画像やスタンプ画像を背景画像Ｐ１１上に入力し、被写体の背景に表示させるようにすることも可能とされる。
【００８４】
＜写真シール作成装置の内部構成＞
図１０は、写真シール作成装置１の内部の構成例を示すブロック図である。上述した構成と同じ構成には同じ符号を付してある。重複する説明については適宜省略する。
【００８５】
制御部２０１は、CPU(Central Processing Unit)などにより構成される。制御部２０１は、ROM(Read Only Memory)２０６や記憶部２０２に記憶されているプログラムを実行し、写真シール作成装置１の全体の動作を制御する。制御部２０１には、記憶部２０２、通信部２０３、ドライブ２０４、ROM２０６、RAM(Random Access Memory)２０７が接続される。制御部２０１には、撮影部２０８の各構成、編集部２０９Ａ，２０９Ｂの各構成、およびプリンタ２４１も接続される。
【００８６】
記憶部２０２は、ハードディスクやフラッシュメモリなどの不揮発性の記憶媒体である。記憶部２０２は、制御部２０１から供給された各種の設定情報などを記憶する。記憶部２０２に記憶されている情報は制御部２０１により適宜読み出される。
【００８７】
通信部２０３は、インターネットなどのネットワークのインタフェースである。通信部２０３は、制御部２０１による制御に従って外部の装置と通信を行う。通信部２０３は、例えば、利用者により選択された撮影画像をサーバに送信する。通信部２０３から送信された画像は、サーバにおいて所定の記憶領域が割り当てられて保存され、サーバにアクセスしてきた携帯端末に表示されたり、ダウンロードされたりする。
【００８８】
ドライブ２０４には、光ディスクや半導体メモリなどよりなるリムーバブルメディア２０５が適宜装着される。ドライブ２０４によりリムーバブルメディア２０５から読み出されたプログラムやデータは、制御部２０１に供給され、記憶部２０２に記憶されたり、インストールされたりする。
【００８９】
ROM２０６は、制御部２０１において実行されるプログラムやデータを記憶する。RAM２０７は、制御部２０１が処理するデータやプログラムを一時的に記憶する。
【００９０】
撮影部２０８は、撮影空間Ａ１にいる利用者を対象とした撮影処理を実現する。撮影部２０８は、硬貨処理部２２１、照明装置２２２、カメラ１１１、タッチパネルモニタ１１２、およびスピーカ２２３から構成される。
【００９１】
硬貨処理部２２１は、硬貨投入口への硬貨の投入を検出する。硬貨処理部２２１は、例えば４００円などの所定の金額分の硬貨が投入されたことを検出した場合、ゲームの開始を指示する起動信号を制御部２０１に出力する。
【００９２】
照明装置２２２は、上ストロボユニット１０３、足元ストロボユニット１０４などの、撮影空間Ａ１内に設けられる各照明装置である。照明装置２２２のそれぞれは、制御部２０１から供給される照明制御信号に従って発光する。
【００９３】
カメラ１１１は、制御部２０１によるシャッタ制御に従って撮影を行い、撮影によって得られた撮影画像のデータを制御部２０１に出力する。
【００９４】
編集部２０９Ａは、編集空間Ａ２−１にいる利用者を対象とした編集処理を実現する。編集部２０９Ａは、タブレット内蔵モニタ１４１、タッチペン１４２Ａ，１４２Ｂ、およびスピーカ２３１から構成される。編集部２０９Ｂは、編集部２０９Ａと同一の構成を有し、編集空間Ａ２−２にいる利用者を対象とした編集処理を実現する。
【００９５】
タブレット内蔵モニタ１４１は、制御部２０１による制御に従って各種の画面を表示し、表示した画面に対する利用者の操作を受け付ける。利用者の操作の内容を表す入力信号は制御部２０１に供給される。
【００９６】
プリンタ２４１は、制御部２０１から供給された印刷データに基づいて、シール紙ユニット２４２に収納されているシール紙に編集画像を印刷する。プリンタ２４１は、編集画像を所定のレイアウトで印刷したシール紙をシール紙排出口１５１に排出する。
【００９７】
＜制御部の構成＞
図１１は、制御部２０１の機能構成例を示すブロック図である。図１１に示す機能部のうちの少なくとも一部は、制御部２０１内のCPUにより所定のプログラムが実行されることによって実現される。
【００９８】
制御部２０１は、撮影処理部３０１、編集処理部３０２、および印刷処理部３０３から構成される。
【００９９】
撮影処理部３０１は、撮影部２０８の各部を制御して撮影処理を行う。編集処理部３０２は、編集部２０９Ａ，２０９Ｂの各部を制御して編集処理を行う。印刷処理部３０３は、プリンタ２４１を制御して編集画像をシール紙に印刷する。
【０１００】
図１２は、編集処理部３０２の構成例を示すブロック図である。
【０１０１】
編集処理部３０２は、画像処理部３１１と表示制御部３１２から構成される。画像処理部３１１にはおまけ画像作成部３１１Ａが設けられる。撮影処理によって得られた撮影画像は画像処理部３１１と表示制御部３１２に供給される。撮影処理部３０１からは、５枚などの複数の撮影画像が供給される。
【０１０２】
画像処理部３１１と表示制御部３１２に対しては、ペン画像とスタンプ画像などの合成用画像のデータ、タッチペン１４２を用いて利用者により入力された操作の内容を表す情報なども入力される。記憶部２０２に記憶されている、おまけ画像の作成に用いられるテンプレートのデータも画像処理部３１１に入力される。テンプレートは、元になる撮影画像に対して施す画像処理の内容を規定するデータである。
【０１０３】
画像処理部３１１は、ペンツールやスタンプツールなどの各種の編集ツールを用いて行われる利用者の操作に従って撮影画像の編集を行う。編集後の撮影画像のデータは編集が行われる毎に表示制御部３１２に供給される。
【０１０４】
また、画像処理部３１１は、撮影画像に対してクロマキ処理を施し、利用者により選択された背景画像を、撮影画像に写る利用者の背景に合成する。画像処理部３１１は、編集対象の撮影画像を適宜切り替えて編集を行い、編集処理の終了後、編集済みの撮影画像である編集画像を印刷処理部３０３に出力する。
【０１０５】
おまけ画像作成部３１１Ａは、撮影画像に基づいて、利用者の操作に応じて、または、利用者の操作によらずに自動的に、おまけ画像を作成する。
【０１０６】
例えば、おまけ画像作成部３１１Ａは、おまけ画像を作成することが利用者により明示的に指示された場合、利用者により選択された撮影画像に対して、トリミング処理と加工処理とを含む画像処理を利用者による操作に従って施し、おまけ画像を作成する。
【０１０７】
加工処理は、元になる画像の一部の画素または全体の画素の画素値をフィルタ処理などによって変更する処理、所定の質感および／または色のレイヤ画像を重畳する処理などである。加工処理が施された画像は、元になる画像と比べて、色、コントラスト、明るさ、質感などが異なる画像となる。
【０１０８】
また、おまけ画像作成部３１１Ａは、おまけ画像を作成することが利用者により指示されないまま編集が終了した場合、１枚目などの所定の撮影画像を選択し、利用者による操作によらずに所定の画像処理を施しておまけ画像を作成する。
【０１０９】
おまけ画像作成部３１１Ａは、通信部２０３を制御し、利用者による操作に従って作成したおまけ画像、または、利用者による操作によらずに作成したおまけ画像をサーバに送信する。サーバを介して利用者の携帯端末に送信されるのではなく、通信部２０３から利用者の携帯端末に対しておまけ画像が直接送信されるようにしてもよい。
【０１１０】
以下、適宜、利用者による操作に従っておまけ画像を作成することを手動作成という。また、利用者による操作によらずに、おまけ画像を自動的に作成することを自動作成という。
【０１１１】
表示制御部３１２は、タブレット内蔵モニタ１４１の画面の表示を制御する。例えば、表示制御部３１２は、編集画面をタブレット内蔵モニタ１４１に表示させ、編集画面の表示を利用者の操作に従って切り替える。
【０１１２】
また、表示制御部３１２は、画像処理部３１１から供給された情報に基づいて、編集後の撮影画像を編集画面に表示させる。表示制御部３１２は、編集処理の終了後、レイアウトの選択画面、印刷待ち空間Ａ３への移動を案内する画面などの各種の画面をタブレット内蔵モニタ１４１に表示させる。
【０１１３】
＜写真シール作成装置の動作＞
ここで、図１３のフローチャートを参照して、写真シール作成ゲームを提供する写真シール作成装置１の動作について説明する。図１３の処理は、所定の金額分の硬貨が硬貨投入口に投入されたときに開始される。
【０１１４】
ステップＳ１において、撮影処理部３０１は、撮影部２０８を制御して撮影処理を行う。
【０１１５】
撮影処理において、撮影処理部３０１は、人数や撮影コースの選択画面をタッチパネルモニタ１１２に表示させ、それらの選択を行わせる。例えば、撮影コースに応じて、異なる写りの撮影画像が生成される。
【０１１６】
被写体の写りは、撮影画像に施す画像処理の種類などによって変わる。例えば、被写体の写りは、撮影画像における人物領域の彩度、明度、シャープネス、コントラストなどの少なくともいずれかを調整することで決定される。撮影画像に対しては、彩度、明度、シャープネス、コントラストなどの各種のパラメータを調整する画像処理が施される。被写体の写りを、撮影空間Ａ１内の各ストロボの発光量や発光タイミングなどを制御することで変えるようにしてもよい。
【０１１７】
人数や撮影コースが選択されたとき、撮影処理部３０１は、カメラ１１１を制御して動画像の取り込みを開始する。撮影処理部３０１は、取り込まれた動画像をライブビュー画像としてタッチパネルモニタ１１２に表示させる。利用者は、ライブビュー画像を見ることで自分たちの写り方を確認することができる。
【０１１８】
ライブビュー画像が所定の時間表示された後、撮影前のカウントダウンが開始される。撮影のタイミングになったとき、撮影処理部３０１は１回目の撮影を行う。その後、撮影処理部３０１は、所定の回数分の撮影を繰り返し行う。
【０１１９】
例えば５回の撮影のうち１回目から３回目までの撮影がアップ画像の撮影であり、４回目と５回目の撮影が全身画像の撮影である場合、撮影処理部３０１は、それぞれの撮影画像の種類に応じて、カメラ１１１の画角を調整する等の処理を行う。
【０１２０】
全身画像として、斜め上から見た利用者の全身が写る画像と、正面から見た利用者の全身が写る画像が生成されるようにしてもよい。前者の全身画像は、撮影・表示ユニット１０１の位置を高い位置にして、利用者を上から見下ろすようにして撮影することによって得られた静止画に基づいて生成される。また、後者の全身画像は、撮影・表示ユニット１０１の位置を前者の全身画像の撮影時の位置より低い位置にして、利用者を正面から撮影することによって得られた静止画に基づいて生成される。
【０１２１】
この場合、例えば、撮影・表示ユニット１０１の高さとカメラ１１１の角度を調整することが可能とされる。利用者は、アングル（撮影方向）が異なる全身画像を撮影することができる。
【０１２２】
また、アップ画像の撮影が５回繰り返されるようにしてもよい。この場合、全身画像の撮影は行われない。
【０１２３】
５回などの所定の回数の撮影が行われた後、撮影処理部３０１は、撮影を終えた利用者に対して、編集空間Ａ２−１または編集空間Ａ２−２への移動を案内する。編集空間への移動の案内は、タッチパネルモニタ１１２に案内画面を表示させることによって、または音声をスピーカ２２３から出力させることによって行われる。
【０１２４】
図１４は、アップ画像の生成例を示す図である。
【０１２５】
図１４の画像Ｐ２１は、アップ画像の撮影時に、カメラ１１１のズームレンズの画角をテレ端に近い画角にして撮影された画像である。撮影処理部３０１は、例えば、枠Ｆ１で囲んで示す範囲をトリミングにより画像Ｐ２１から切り出し、アップ画像を生成する。
【０１２６】
アップ画像の撮影時、タッチパネルモニタ１１２には、同様にして切り出された範囲の動画が表示される。利用者は、自身の上半身が大きく写るライブビューを見ながら、撮影を行う。
【０１２７】
図１５は、全身画像の生成例を示す図である。
【０１２８】
図１５の画像Ｐ２２は、全身画像の撮影時に、カメラ１１１のズームレンズの画角をワイド端に近い画角にして撮影された画像である。撮影処理部３０１は、例えば、枠Ｆ２で囲んで示す範囲をトリミングにより画像Ｐ２２から切り出し、全身画像を生成する。
【０１２９】
全身画像の撮影時、タッチパネルモニタ１１２には、同様にして切り出された範囲の動画が表示される。利用者は、自身の全身が写るライブビューを見ながら、撮影を行う。このようにして生成されたアップ画像と全身画像が、撮影画像として編集の対象になる。
【０１３０】
撮影処理においては、５回の撮影終了後、気に入らない画像に変えて、新たな画像の撮り直しを行うことが可能とされる。撮影結果として表示した５枚の撮影画像の中から気に入らない画像が選択されたとき、撮影処理部３０１は、撮り直し撮影を行い、新たに得られた画像を撮影画像に加えて５枚の撮影画像を取得する。
【０１３１】
図１３のステップＳ２において、編集処理部３０２は編集処理を行い、編集画像を生成する。編集処理においては、編集画面がタブレット内蔵モニタ１４１に表示され、撮影画像の編集が行われる。編集画面が表示されるタブレット内蔵モニタ１４１は、撮影処理を終えた利用者の移動先とした方の編集空間に設けられているモニタである。
【０１３２】
編集画面を用いた撮影画像の編集は、予め割り当てられた制限時間が経過するか、編集画面に表示された終了ボタンが押されたときに終了される。撮影画像の編集が終了したとき、レイアウトの選択、送信画像の選択などが行われ、その後、印刷待ち空間Ａ３への移動が案内される。編集処理の詳細については図１６のフローチャートを参照して後述する。
【０１３３】
ステップＳ３において、印刷処理部３０３は、プリンタ２４１を制御し、編集処理によって得られた編集画像をシール紙に印刷する。なお、撮影処理により得られた撮影画像に対して編集が施されていない場合、撮影画像がそのままシール紙に印刷される。
【０１３４】
ステップＳ４において、プリンタ２４１は、編集画像が印刷されたシール紙をシール紙排出口１５１に排出し、処理を終了させる。
【０１３５】
＜編集処理＞
次に、図１６のフローチャートを参照して、図１３のステップＳ２において行われる編集処理について説明する。
【０１３６】
ステップＳ１１において、編集処理部３０２の表示制御部３１２は、写りに関する選択画面をタブレット内蔵モニタ１４１に表示させる。ここでは、例えば、目や顔の大きさ、肌の明るさ等が選択される。
【０１３７】
画像処理部３１１は、撮影処理部３０１から供給された５枚の撮影画像のそれぞれに対して、利用者の選択内容に応じた画像処理を行い、目や顔の大きさと肌の明るさを調整する。編集対象となる撮影画像は、撮影画像に写る利用者の目と顔の大きさ、および、肌の明るさが調整された画像となる。
【０１３８】
ステップＳ１２において、表示制御部３１２は、名前入力画面をタブレット内蔵モニタ１４１に表示させる。名前入力画面を用いて入力された利用者の名前に応じて、編集時に利用可能な編集ツールが変化する。例えば、利用者の名前を手書き風の文字で表すスタンプ画像などが編集ツールとして用意される。また、名前入力画面を用いて入力された名前が所定のレイアウトで配置され、おまけ画像が作成される。
【０１３９】
ステップＳ１３において、表示制御部３１２は、編集画面をタブレット内蔵モニタ１４１に表示させる。
【０１４０】
図１７は、タブレット内蔵モニタ１４１に表示される編集画面の例を示す図である。
【０１４１】
編集画面は、基本的に、縦長四角形の領域である背景選択領域４０１を挟んで、領域４０３Ｌと領域４０３Ｒが左右に形成されることによって構成される。背景選択領域４０１の下には、背景選択領域４０１と同じ幅の小さな領域であるBGM選択領域４０２が形成される。背景選択領域４０１の上には、編集作業に割り当てられた制限時間の残り時間などが表示される。
【０１４２】
背景選択領域４０１は、背景画像の選択に用いられるボタンなどの表示領域である。背景選択領域４０１は、編集画面が表示されている間、常時表示される。利用者は、編集画面を用いて編集を行っている間、背景画像の選択をいつでも行うことができる。
【０１４３】
BGM選択領域４０２は、BGMの音量の調整に用いられる領域である。背景選択領域４０１とBGM選択領域４０２は、タブレット内蔵モニタ１４１に向かって左側にいる利用者と右側にいる利用者が共有して用いる領域である。
【０１４４】
これに対して、領域４０３Ｌは、タブレット内蔵モニタ１４１に向かって左側にいる利用者により用いられる領域であり、領域４０３Ｒは、タブレット内蔵モニタ１４１に向かって右側にいる利用者により用いられる領域である。
【０１４５】
すなわち、背景選択領域４０１とBGM選択領域４０２の表示に対しては、タッチペン１４２Ａ、タッチペン１４２Ｂのいずれのタッチペンを用いた操作も受け付けられるが、領域４０３Ｌの表示に対しては、タッチペン１４２Ａを用いた操作のみが受け付けられ、領域４０３Ｒの表示に対しては、タッチペン１４２Ｂを用いた操作のみが受け付けられる。
【０１４６】
タブレット内蔵モニタ１４１に向かって左側にいる利用者がタッチペン１４２Ａを用いて背景選択領域４０１のボタンを押し、背景画像を選択した場合、その操作は、領域４０３Ｌの表示を用いて行っている編集に反映される。
【０１４７】
一方、右側にいる利用者がタッチペン１４２Ｂを用いて背景選択領域４０１のボタンを押下し、背景画像を選択した場合、その操作は、領域４０３Ｒの表示を用いて行っている編集に反映される。
【０１４８】
このように、制御部２０１においては、編集画面の各領域に対する操作が、タッチペン１４２Ａを用いて行われた操作であるのか、タッチペン１４２Ｂを用いて行われた操作であるのかが識別される。
【０１４９】
領域４０３Ｌと領域４０３Ｒには、主な構成が左右対称に設けられる。なお、図１７の各領域を囲む破線は画面に実際に表示されるものではない。
【０１５０】
領域４０３Ｌの中央上方のサムネイル表示領域４１１Ｌは、撮影画像を表すサムネイル画像の表示領域である。サムネイル画像は、例えば撮影画像をそれぞれ縮小することによって生成される。利用者（タブレット内蔵モニタ１４１に向かって左側にいる利用者）は、サムネイル表示領域４１１Ｌに表示されているサムネイル画像を選択することによって、編集対象とする撮影画像を選択する。
【０１５１】
図１７の例においては、５枚の撮影画像を表すサムネイル画像Ｐ３１乃至Ｐ３５がサムネイル表示領域４１１Ｌに並べて表示されている。また、左端のサムネイル画像Ｐ３１が選択されることによって、１枚目の撮影画像が編集対象とされている。サムネイル画像Ｐ３１にはカーソルＣ１が表示されている。
【０１５２】
なお、サムネイル画像Ｐ３１乃至Ｐ３３はアップ画像のサムネイル画像であり、サムネイル画像Ｐ３４，Ｐ３５は全身画像のサムネイル画像である。
【０１５３】
サムネイル表示領域４１１Ｌの左側にはおまけ画像表示領域４１２Ｌが形成される。おまけ画像表示領域４１２Ｌは、左側にいる利用者によりおまけ画像が作成された場合に、作成済みのおまけ画像が縮小して表示される領域である。おまけ画像の作成前、おまけ画像表示領域４１２Ｌには、おまけ画像が未作成であることを表す文字などが表示される。
【０１５４】
領域４０３Ｌの略中央に大きく形成された編集領域４１３Ｌは、編集対象として選択された撮影画像の表示領域である。利用者は、タッチペン１４２Ａを用いて編集ツールを選択し、編集領域４１３Ｌに表示された撮影画像の編集を行うことができる。
【０１５５】
編集領域４１３Ｌの左側には、編集の見本を表示するときに押される見本ボタン４１４Ｌと、おまけ画像を作成するときに押される作成ボタン４１５Ｌが表示される。作成ボタン４１５Ｌが押されたとき、領域４０３Ｌには、おまけ画像の作成に用いられる作成画面が表示される。おまけ画像が未作成である場合、作成ボタン４１５Ｌは例えば点滅して表示される。
【０１５６】
編集領域４１３Ｌの下には、横長長方形の領域である編集パレット４１６Ｌが表示される。編集パレット４１６Ｌは、ペンツール、スタンプツールなどの各種の編集ツール（コンテンツ）の選択に用いられるボタンなどが表示される領域である。
【０１５７】
編集パレット４１６Ｌの上には６種類のタブ４３１Ｌが表示され、編集パレット４１６Ｌの右には６種類のタブ４３２Ｌが表示される。利用者は、編集パレット４１６Ｌに表示させる編集ツールの種類とカテゴリを、タブ４３１Ｌとタブ４３２Ｌを用いて切り替えることができる。
【０１５８】
タブ４３１Ｌは、「HIKARI」、「シンプル」、「手描き」、「かっちり」、「コラージュ」、「実写」の各タブから構成される。これらのタブは、編集ツールのカテゴリの選択に用いられる。
【０１５９】
タブ４３２Ｌは、「PEN」、「STAMP１」、「STAMP２」、「MOJI」、「変身」、「質感」の各タブから構成される。これらのタブは、編集ツールの種類の選択に用いられる。
【０１６０】
例えば「PEN」の名前が付されたタブはペンツールを選択するときに押されるタブである。ペンツールは、それを選択した後、編集領域４１３Ｌにタッチペン１４２Ａを押し当てた状態で動かすことによって、その軌跡に沿って所定のペン画像を入力することができる編集ツールである。
【０１６１】
また、「STAMP１」、「STAMP２」の名前が付されたタブはスタンプツールを選択するときに押されるタブである。スタンプツールは、それを選択した後、編集領域４１３Ｌにタッチペン１４２Ａを押し当てることによって、タッチペン１４２Ａを押し当てた位置に所定のスタンプ画像を入力することができる編集ツールである。
【０１６２】
例えばペンツールが選択された状態でタブ４３１Ｌが切り替えられる毎に、異なるカテゴリに属するペンツールを選択するときに押されるボタンが編集パレット４１６Ｌに並べて表示される。各編集ツールにはカテゴリが設定されている。
【０１６３】
編集領域４１３Ｌの右側には修正ツール選択領域４１７Ｌが形成される。修正ツール選択領域４１７Ｌは、消しゴムツールの選択に用いられるボタン、１つ前または１つ後の作業に戻るときに押される「進む」、「戻る」ボタン、既に入力済みの編集を全てキャンセルし、編集前の状態に戻すときに押される「最初から」ボタンなどが縦に並べて表示される領域である。消しゴムツールは、入力した編集を消すときに用いられるツールである。修正ツール選択領域４１７Ｌには「１set戻る」ボタンも表示される。「１set戻る」ボタンを押すことにより、直前の所定の時間の間に入力された編集をまとめて取り消すことができる。
【０１６４】
修正ツール選択領域４１７Ｌの上には、編集処理を終了するときに押される終了ボタン４１８Ｌが表示される。
【０１６５】
タブレット内蔵モニタ１４１に向かって右側にいる利用者が使う領域４０３Ｒには、以上のような領域４０３Ｌの構成と同じ構成が位置を対称にして配置される。図１７の例においては、サムネイル表示領域４１１Ｒからサムネイル画像Ｐ３２を選択することによって、２枚目の撮影画像が編集対象とされている。サムネイル画像Ｐ３２にはカーソルＣ２が表示されている。カーソルＣ１とカーソルＣ２は例えば異なる色で表示される。
【０１６６】
一方の利用者が編集対象として選択中の撮影画像については、他方の利用者は編集対象として選択することができない。あるタイミングでは、領域４０３Ｌと領域４０３Ｒにおいてそれぞれ異なる撮影画像が編集対象として設定される。
【０１６７】
一方の利用者が編集対象の撮影画像を切り替えた場合、他方の利用者は、その一方の利用者が編集対象として選択していた撮影画像を、編集対象として新たに選択することができる。この場合、一方の利用者が行っていた編集の内容は、そのまま維持される。他方の利用者は、一方の利用者により編集が行われた撮影画像に対して、さらに編集を行うことになる。
【０１６８】
編集処理においては、このような編集画面が左右の利用者により用いられ、撮影画像に対して編集が施される。編集画面には、背景選択領域４０１を中央にして、サムネイル表示領域４１１Ｌ、編集領域４１３Ｌ、編集パレット４１６Ｌが主に配置された領域４０３Ｌと、サムネイル表示領域４１１Ｒ、編集領域４１３Ｒ、編集パレット４１６Ｒが主に配置された領域４０３Ｒとが、同時に表示されることになる。
【０１６９】
また、領域４０３Ｌには作成ボタン４１５Ｌが表示され、領域４０３Ｒには作成ボタン４１５Ｒが表示される。左側にいる利用者と右側にいる利用者は、編集画面が表示されている時間内、すなわち、編集に割り当てられた制限時間内に、それぞれ、１種類ずつ、おまけ画像を作成することができる。写真シール作成装置１においては１回のゲーム中に２種類のおまけ画像を作成することが可能とされる。当然、２種類以上のおまけ画像を作成することができるようにしてもよい。
【０１７０】
このような編集画面が表示されている間、図１６のステップＳ１４において、画像処理部３１１は、利用者による操作に応じて撮影画像の編集を行う。例えば、画像処理部３１１は、撮影画像を対象としてクロマキ処理を行うことによって利用者の領域を抽出し、編集画面のボタンを用いて選択された背景画像を撮影画像に合成する。また、画像処理部３１１は、背景画像を合成した撮影画像に対して、スタンプ画像、ペン画像等の合成用画像を利用者の操作に応じて合成し、編集画像を生成する。
【０１７１】
ステップＳ１５において、おまけ画像作成部３１１Ａは、作成ボタン４１５Ｌまたは作成ボタン４１５Ｒが押されたか否かを判定する。
【０１７２】
作成ボタン４１５Ｌまたは作成ボタン４１５Ｒが押されたとステップＳ１５において判定した場合、ステップＳ１６において、おまけ画像作成部３１１Ａは手動作成処理を行う。手動作成処理は、おまけ画像を利用者の操作に応じて作成する処理である。おまけ画像の手動作成は、作成画面の表示に従って行われる。手動作成処理の詳細については図２１のフローチャートを参照して後述する。
【０１７３】
作成ボタン４１５Ｌまたは作成ボタン４１５Ｒが押されていないとステップＳ１５において判定された場合、ステップＳ１６の処理はスキップされる。
【０１７４】
ステップＳ１７において、画像処理部３１１は、編集終了か否かを判定し、終了ではないと判定した場合、ステップＳ１３に戻り、以上の処理を繰り返し行う。
【０１７５】
一方、制限時間が経過したことから、または、終了ボタン４１８Ｌ，４１８Ｒが押されたことから、編集終了であるとステップＳ１７において判定した場合、ステップＳ１８において、おまけ画像作成部３１１Ａは、２種類のおまけ画像を作成済みであるか否かを判定する。
【０１７６】
この判定は、制限時間が経過したタイミング、または、終了ボタン４１８Ｌ，４１８Ｒが押されたときにポップアップ表示される「本当に終了する？」のメッセージに対して利用者がタブレット内蔵モニタ１４１を押下したタイミングで行われるようにすることが可能である。
【０１７７】
作成ボタン４１５Ｌ，４１５Ｒが押されたタイミングでおまけ画像を作成済みであると判定するとした場合、おまけ画像の作成を最後まで行わずに中断したときにも作成済みであると判定されることになる。ポップアップ表示される「本当に終了する？」のメッセージに対して利用者がタブレット内蔵モニタ１４１を押下したタイミングで判定を行うことにより、おまけ画像の作成の有無を確実に判定することができる。
【０１７８】
作成ボタン４１５Ｌが押されたときに領域４０３Ｌに表示される作成画面を用いて左側にいる利用者によりおまけ画像が作成され、作成ボタン４１５Ｒが押されたときに領域４０３Ｒに表示される作成画面を用いて右側にいる利用者によりおまけ画像が作成された場合、２種類のおまけ画像が作成済みであると判定される。
【０１７９】
一方、いずれかの利用者しかおまけ画像を作成していない場合または両方の利用者がおまけ画像を作成していない場合、すなわち、少なくとも1種類のおまけ画像が作成されていない場合、２種類のおまけ画像が作成済みではないと判定される。
【０１８０】
おまけ画像を２種類作成済みではないとステップＳ１８において判定した場合、ステップＳ１９において、おまけ画像作成部３１１Ａは自動作成処理を行う。自動作成処理は、おまけ画像を利用者の操作によらずに自動的に作成する処理である。
【０１８１】
いずれかの利用者しかおまけ画像を作成していない場合（手動作成によって１種類のおまけ画像が作成済みである場合）、１種類のおまけ画像が自動作成処理によって自動作成される。左側の利用者がおまけ画像を手動作成によって作成している場合には、右側の利用者用のおまけ画像が自動作成処理によって作成され、右側の利用者がおまけ画像を手動作成によって作成している場合には、左側の利用者用のおまけ画像が自動作成処理によって作成される。
【０１８２】
また、両方の利用者がおまけ画像を作成していない場合、自動作成処理により、左側の利用者用と右側の利用者用の２種類のおまけ画像が作成される。自動作成処理の詳細については図２８のフローチャートを参照して後述する。
【０１８３】
一方、おまけ画像を２種類作成済みであるとステップＳ１８において判定された場合、ステップＳ１９の処理はスキップされる。
【０１８４】
ステップＳ２０において、表示制御部３１２は、分割数選択画面をタブレット内蔵モニタ１４１に表示させる。分割数選択画面は、シール紙に印刷する編集画像のレイアウトの選択に用いられる画面である。
【０１８５】
所定のレイアウトが選択されたとき、ステップＳ２１において、表示制御部３１２は、おまけ画像確認画面をタブレット内蔵モニタ１４１に表示させる。おまけ画像確認画面は、手動作成、自動作成、または手動作成と自動作成の組み合わせにより作成された２種類のおまけ画像の確認に用いられる画面である。
【０１８６】
図１８は、おまけ画像確認画面の第１の例を示す図である。
【０１８７】
左側の画像４４１は、左側にいる利用者用として自動作成されたおまけ画像を表し、右側の画像４４２は、右側にいる利用者用として自動作成されたおまけ画像を表す。図１８のおまけ画像確認画面は、２人とも、おまけ画像を手動作成によって作成していない場合に表示される画面である。おまけ画像確認画面には、編集画面が表示されているときにおまけ画像を手動作成できることを案内するメッセージなども表示される。メッセージ中の「けーたいおまけ」は、おまけ画像を意味する。
【０１８８】
図１９は、おまけ画像確認画面の第２の例を示す図である。
【０１８９】
左側の画像４４１は、左側にいる利用者が手動作成によって作成したおまけ画像を表し、右側の画像４４２は、右側にいる利用者用として自動作成されたおまけ画像を表す。図１９のおまけ画像確認画面は、左側にいる利用者だけが、おまけ画像を手動作成によって作成した場合に表示される画面である。画像４４２の下には、右側にいる利用者向けのメッセージとして、編集画面が表示されているときにおまけ画像を手動作成できることを案内するメッセージが表示される。
【０１９０】
図２０は、おまけ画像確認画面の第３の例を示す図である。
【０１９１】
左側の画像４４１は、左側にいる利用者が手動作成によって作成したおまけ画像を表し、右側の画像４４２は、右側にいる利用者が手動作成によって作成したおまけ画像を表す。図２０のおまけ画像確認画面は、左側にいる利用者と右側にいる利用者が、おまけ画像を手動作成によって作成した場合に表示される画面である。
【０１９２】
このような画面から、２人の利用者は、それぞれが提供を受けるおまけ画像を確認することができる。
【０１９３】
ステップＳ２２において、表示制御部３１２は、送信画像の選択画面をタブレット内蔵モニタ１４１に表示させる。利用者は、おまけ画像とは別に、例えば５枚の撮影画像の中から所定の数の撮影画像を選択し、選択した撮影画像を自身の携帯端末で受信することができる。もちろん、おまけ画像と５枚の撮影画像の中から所定の数の撮影画像を選択させてもよい。
【０１９４】
送信する撮影画像が選択された後、タブレット内蔵モニタ１４１には、例えばメールアドレスの入力画面が表示される。左側にいる利用者と右側にいる利用者は、それぞれ、自身のメールアドレスを入力して、サーバから送信される電子メールを受信できる状態にする。
【０１９５】
ステップＳ２３において、制御部２０１は、通信部２０３を制御し、おまけ画像とともに、利用者により選択された撮影画像をサーバに送信する。利用者は、自身の携帯端末を操作してサーバにアクセスし、シール紙の縁に印刷されたIDを入力することにより、おまけ画像と撮影画像を携帯端末に取り込むことができる。サーバにおいては、メールアドレスとIDが対応付けて管理されている。
【０１９６】
ステップＳ２４において、編集処理部３０２は、撮影画像の編集を終えた利用者に対して印刷待ち空間Ａ３への移動を案内する。印刷待ち空間Ａ３への移動の案内は、タブレット内蔵モニタ１４１に案内画面を表示させることによって、またはスピーカ２３１から音声を出力させることによって行われる。
【０１９７】
その後、図１３のステップＳ２に戻り、それ以降の処理が行われる。印刷が終了したとき、利用者は、編集画像が印刷されたシール紙を受け取って写真シール作成装置１の利用を終える。
【０１９８】
＜手動作成処理について＞
次に、図２１のフローチャートを参照して、図１６のステップＳ１６において行われる手動作成処理について説明する。
【０１９９】
ステップＳ４１において、表示制御部３１２は、コース選択画面をタブレット内蔵モニタ１４１に表示させる。コース選択画面は、編集画面を構成する領域４０１Ｌと領域４０１Ｒのうち、おまけ画像作成ボタンを押して、おまけ画像を作成することを選択した利用者が使用している領域に表示される。
【０２００】
おまけ画像を手動作成によって作成するときのコースとして、「スクエアコース」の名前が設定された第１のコースと、「ノーマルコース」の名前が設定された第２のコースが用意される。
【０２０１】
「スクエアコース」が選択された場合、ステップＳ４２において、表示制御部３１２は、コース選択画面に代えてデザイン選択画面を表示させる。デザイン選択画面は、おまけ画像を作成するときの画像処理の内容を規定するテンプレートの選択に用いられる画面である。選択されたテンプレートに応じた画像処理が撮影画像に対して施され、おまけ画像が作成される。
【０２０２】
図２２は、デザイン選択画面の例を示す図である。
【０２０３】
デザイン選択画面の中央より若干下方寄りの位置に略横長長方形の領域４５１が形成される。領域４５１には、６種類のテンプレートを用いて作成した場合のおまけ画像を表すサンプル画像４６１−１乃至４６１−６が２行３列に並べて表示される。
【０２０４】
サンプル画像４６１−１乃至４６１−６に表されるように、スクエアコースにおいて作成されるおまけ画像は正方形状の画像である。おまけ画像の縦横比はアップ画像の縦横比と異なる。サンプル画像４６１−１乃至４６１−６に写る人物は、例えばモデルの人物である。写真シール作成装置１の記憶部２０２には、６種類のテンプレートがあらかじめ記憶されている。
【０２０５】
図２３は、サンプル画像を拡大して示す図である。
【０２０６】
サンプル画像４６１−１は、正方形の白地の画像４６１−１Ａ上に、周りに余白を残してアップ画像４６１−１Ｂを配置し、右側の余白に名前や機種名等を配置したテンプレートを表す。余白に配置される名前は、名前入力画面に入力された利用者の名前である。アップ画像４６１−１Ｂは、アップ画像のサイズ調整などを行って得られた画像である。
【０２０７】
サンプル画像４６１−２は、正方形の白地の画像４６１−２Ａの中央より若干上寄りの位置に、円形状にトリミングして得られたアップ画像４６１−２Ｂを配置し、その下の余白に名前や機種名等を配置したテンプレートを表す。サンプル画像４６１−２により表されるテンプレートを用いておまけ画像を作成する場合、元になるアップ画像に対して、円形状の範囲を切り出すようなトリミングが施される。
【０２０８】
サンプル画像４６１−３は、正方形の画像４６１−３Ａの略中央に、画像４６１−３Ａより小さいアップ画像４６１−３Ｂを配置し、アップ画像４６１−３Ｂの周りに名前や機種名等を配置したテンプレートを表す。アップ画像４６１−３Ｂの地となる画像４６１−３Ａは、アップ画像を正方形状に切り出し、コントラストを落とすなどの加工処理が施された画像である。一方、アップ画像４６１−１Ｂは、アップ画像のサイズ調整などを行って得られた画像である。
【０２０９】
サンプル画像４６１−４は、正方形の白地の画像４６１−４Ａの右側に寄せてアップ画像４６１−４Ｂを配置し、左側の余白に名前や機種名等を配置したテンプレートを表す。アップ画像４６１−４Ｂは、元になるアップ画像の左側の縁を波状に整形して得られた画像である。
【０２１０】
サンプル画像４６１−５は、正方形状にトリミングしたアップ画像４６１−５Ａ乃至４６１−５Ｄを２行２列に配置し、右下のアップ画像４６１−５Ｄに重ねて名前や機種名等を配置したテンプレートを表す。アップ画像４６１−５Ａ乃至４６１−５Ｄは、同じ１枚のアップ画像のサイズを調整するとともに、正方形状にトリミングして得られた画像である。アップ画像４６１−５Ｄに対しては、コントラストを落とすなどの加工処理が施される。サンプル画像４６１−５により表されるテンプレートを用いておまけ画像を作成する場合、元になるアップ画像に対して、正方形状の範囲を切り取るようなトリミングが施される。
【０２１１】
サンプル画像４６１−６は、正方形の白地の画像４６１−６Ａ上に、上下に余白を残してアップ画像４６１−６Ｂとアップ画像４６１−６Ｃを横に並べて配置し、上下の余白に名前や機種名等を配置したテンプレートを表す。アップ画像４６１−６Ｂとアップ画像４６１−６Ｃは、アップ画像のサイズ調整などを行って得られた画像である。アップ画像４６１−６Ｃに対しては、色をモノクロにするなどの加工処理が施される。
【０２１２】
おまけ画像を構成する各アップ画像には、図２４に示すような背景画像Ｐ５１が合成される。背景画像Ｐ５１は、タイル状の模様を表す画像である。背景画像Ｐ５１の縦横比はアップ画像の縦横比と同じである。元になるアップ画像に写る人物の背景にタイル状の模様が見えるように背景画像Ｐ５１が合成され、おまけ画像の作成に用いるアップ画像が生成される。
【０２１３】
このように、写真シール作成装置１には６種類のテンプレートが用意される。６種類のテンプレートのうち、サンプル画像４６１−１，４６１−３，４６１−６の３種類のテンプレートは、それを用いておまけ画像を作成する場合に、元になるアップ画像に対してトリミングが施されないか、トリミングにより除かれる範囲が狭いテンプレートである。
【０２１４】
利用者は、サンプル画像４６１−１乃至４６１−６のうちのいずれかをタッチペン１４２で選択することで、デザイン性の高いおまけ画像を作成することができる。
【０２１５】
なお、サンプル画像４６１−５以外のサンプル画像のテンプレートを選択した場合、手書き文字を入力したりスタンプを入力したりして、タッチペン１４２を用いた編集を行うことが可能とされる。
【０２１６】
テンプレートが選択された場合、ステップＳ４３において、表示制御部３１２は、おまけ画像の元になる画像の選択画面をデザイン選択画面に代えて表示させる。
【０２１７】
図２５は、ステップＳ４３において表示される選択画面の例を示す図である。
【０２１８】
図２５の選択画面の上方には画像選択領域４７１が形成される。画像選択領域４７１には、５枚の撮影画像のうちの、アップ画像である３枚の撮影画像のサムネイル画像が表示される。また、サムネイル画像の上には、１枚の画像を選択することを促すメッセージが表示される。
【０２１９】
利用者は、サムネイル画像を用いて、おまけ画像の元になる撮影画像を３枚のアップ画像の中から１枚選択する。スクエアコースにおいては、顔が大きく写らない全身画像は、おまけ画像の元になる撮影画像として選択することが不可とされる。
【０２２０】
なお、撮影の前に撮影コースを選択することが可能とされており、アップ画像と全身画像の数の組み合わせが撮影コース毎に異なる場合、画像選択領域４７１に表示される画像の数が切り替わる。例えば、アップ画像の撮影を５回行う撮影コースが選択された場合、画像選択領域４７１には５枚のサムネイル画像が表示される。アップ画像は顔が大きく写る画像であるため、全身画像と比べて、画像処理や光学環境等による写りの良さを実感する事ができる画像といえる。おまけ画像の元になる画像をアップ画像の中から選択できるようにすることにより、そのような写りの良さを実感することができるおまけ画像を提供することが可能になる。
【０２２１】
画像選択領域４７１の右側にはトリミング結果表示領域４７２が形成される。トリミング結果表示領域４７２の形状は、利用者により選択されたテンプレートによって変化する。トリミング結果表示領域４７２には、位置確認領域４７３の表示を用いて被写体の位置が調整された画像に対して、テンプレートに応じたトリミングを施して得られた結果が表示される。
【０２２２】
選択画面の略中央右寄りには位置確認領域４７３が形成され、サムネイル画像を用いて選択されたアップ画像が表示される。位置確認領域４７３の左側には、縦長のアップ画像の横幅を略正方形の位置確認領域４７３の横幅に合わせるように被写体の位置を調整するときに押されるボタン４７４が表示される。ボタン４７４の下には、アップ画像の高さを略正方形の位置確認領域４７３の高さに合わせるように被写体の位置を調整するときに押されるボタン４７５が表示される。
【０２２３】
選択画面の下方には、おまけ画像の作成を中断して編集画面に戻るときに押される戻るボタン４７６と、アップ画像と被写体の位置を決定するときに押される決定ボタン４７７が表示される。
【０２２４】
このような選択画面を用いて、おまけ画像の元になるアップ画像が選択され、被写体の位置が調整されたとき、ステップＳ４４において、おまけ画像作成部３１１Ａは、おまけ画像を作成する。
【０２２５】
すなわち、おまけ画像作成部３１１Ａは、利用者により選択されたアップ画像に背景画像を合成し、選択されたテンプレートに応じて、適宜、トリミングと加工処理を施すことによって、おまけ画像用のアップ画像を生成する。また、おまけ画像作成部３１１Ａは、生成したおまけ画像用のアップ画像を地となる正方形の画像の所定の位置に配置し、おまけ画像を作成する。
【０２２６】
図２６は、おまけ画像の例を示す図である。
【０２２７】
図２６に示す画像Ｐ６１は、図２３のサンプル画像４６１−２のテンプレートを用いて作成されたおまけ画像を示す図である。
【０２２８】
サンプル画像４６１−２のテンプレートが選択された場合、おまけ画像作成部３１１Ａは、図２５の選択画面を用いて選択されたアップ画像に対して背景画像Ｐ５１を合成する。また、おまけ画像作成部３１１Ａは、背景画像Ｐ５１を合成したアップ画像における被写体の位置を、図２５の選択画面に対する利用者の操作に応じて調整し、調整後の画像に対して円形状の範囲を切り出すようにトリミングを施す。おまけ画像作成部３１１Ａは、トリミングにより切り出した円形状の画像を地となる正方形の画像４６１−２Ａに合成し、画像Ｐ６１を作成する。
【０２２９】
おまけ画像を作成した後、図１６のステップＳ１６に戻り、それ以降の処理が行われる。タブレット内蔵モニタ１４１には編集画面が表示され、撮影画像の編集が続けられる。編集画面のおまけ画像表示領域４１２Ｌまたはおまけ画像表示領域４１２Ｒには、作成済みのおまけ画像が表示される。
【０２３０】
図２１の説明に戻り、一方、「ノーマルコース」が選択された場合、ステップＳ４５において、表示制御部３１２は、コース選択画面に代えて、おまけ画像の作成画面を表示させる。
【０２３１】
図２７は、作成画面の例を示す図である。
【０２３２】
作成画面の上段の形状選択領域４８１は、おまけ画像の形状の選択に用いられる領域である。図２７の例においては６種類の形状が用意されている。利用者は、好みの形状の画像を選択する。
【０２３３】
中段の画像選択領域４８２は、おまけ画像の元になるアップ画像の選択に用いられる領域である。図２７の例においては、５枚の撮影画像のサムネイル画像が表示される。ノーマルコースにおいては、スクエアコースの場合とは異なり、全身画像をもおまけ画像の元になる画像として選択することが可能とされる。利用者は、好きなポーズ、好きな表情で自分が写っているお気に入りの1枚を選択することができる。
【０２３４】
下段の画像表示領域４８３は、切り取り範囲の選択に用いられる領域である。画像表示領域４８３には、画像選択領域４８２から選択された撮影画像が拡大して表示される。
【０２３５】
画像表示領域４８３に表示された撮影画像には、形状選択領域４８１において選択された形状の切り取り枠４８３Ａが重ねて表示される。利用者は、タッチペン１４２を用いて切り取り枠４８３Ａの大きさを変え、トリミングにより切り出す範囲を設定する。
【０２３６】
画像表示領域４８３の表示を用いて設定された範囲の画像が切り取り画像表示領域４８４に表示される。切り取り画像表示領域４８４は、携帯電話機（スマートフォン）の外観を表す画像のうちのディスプレイの部分に形成される領域である。
【０２３７】
切り取り画像表示領域４８４の下に表示された決定ボタン４８５が押されたとき、切り出し範囲が決定される。決定ボタン４８５の右には、おまけ画像の作成を中断するときに押される終了ボタン４８６が表示される。
【０２３８】
このような作成画面を用いて、おまけ画像の元になる撮影画像が選択され、切り取り範囲が設定されたとき、ステップＳ４６において、おまけ画像作成部３１１Ａは、利用者の選択に応じて、おまけ画像を作成する。
【０２３９】
すなわち、おまけ画像作成部３１１Ａは、利用者により選択されたアップ画像に対してトリミングを施し、設定された範囲の画像を切り出す。おまけ画像作成部３１１Ａは、切り出した範囲の画像に対して、適宜、利用者の操作に応じた編集を施し、おまけ画像を作成する。その後、図１６のステップＳ１６に戻り、それ以降の処理が行われる。
【０２４０】
このように、ノーマルコースにおいては、利用者はトリミング形状を選択し、好きなアスペクト比率及び好きな形状（真円・ハート形状）でトリミングを行うことができる。利用者は、おまけ画像として用いたい位置のみを選択することができる。また、形状を選択することができることから、デザイン性の高い画像を用いておまけ画像を作成することができる。
【０２４１】
おまけ画像の元になる撮影画像とトリミング範囲が図２７の作成画面を用いて選択された後、利用者に対して、好きな加工処理を複数種類の中から選択することが求められる。おまけ画像作成部３１１Ａは、選択された加工処理を施しておまけ画像を作成する。なお、手書き文字を入力したりスタンプを入力したりして、タッチペン１４２を用いた編集を行うことが可能とされる。
【０２４２】
次に、図２８のフローチャートを参照して、図１６のステップＳ１９において行われる自動作成処理について説明する。
【０２４３】
上述したように、自動作成処理は、編集終了後、利用者の操作によらずに、おまけ画像を自動的に作成する処理である。
【０２４４】
ステップＳ６１において、おまけ画像作成部３１１Ａは、５枚の撮影画像のうち、１枚目の撮影画像をおまけ画像の元になる画像として選択する。
【０２４５】
１枚目の撮影画像を自動的に選択することにした場合、その画像は５回の撮影のうちの最初の撮影で取得されるものであるために利用者が気に入らない画像である虞があるが、上述したように、撮影処理においては撮り直しが可能とされているため、そのような問題はない。
【０２４６】
ステップＳ６２において、おまけ画像作成部３１１Ａは、テンプレートを無作為に（ランダムに）選択する。例えば、図２３を参照して説明した６種類のテンプレートのうちの、サンプル画像４６１−１，４６１−３，４６１−６の３種類のテンプレートの中から、テンプレートが無作為に選択される。
【０２４７】
例えば、２人の利用者のうちの一方が手動作成によっておまけ画像を作成していることから、自動作成処理において１種類のおまけ画像を作成する場合、３種類のテンプレートの中から１種類のテンプレートが無作為に選択される。このとき、手動作成（スクエアコース）で一方の利用者により選択されたテンプレートと異なるテンプレートが選択されるようにしてもよい。
【０２４８】
サンプル画像４６１−１，４６１−３，４６１−６の３種類のテンプレートは、トリミングにより取り除かれる範囲が小さい、またはトリミングが行われないテンプレートである。これらのテンプレートから選択することにより、写っている利用者の顔が途切れるなどの不都合を防ぐことができる。
【０２４９】
また、２人の利用者がともにおまけ画像を手動作成によって作成せず、自動作成処理により２種類のおまけ画像を作成する場合、３種類のテンプレートの中から２種類のテンプレートが選択される。
【０２５０】
３種類のテンプレートの中から２種類のテンプレートを無作為に選択することにより、左側に立つ利用者と右側に立つ利用者の２人の利用者に提供できるおまけ画像の組み合わせを増やすことが可能になる。
【０２５１】
ここで、サンプル画像４６１−１のテンプレートを「テンプレートＡ」、サンプル画像４６１−３のテンプレートを「テンプレートＢ」、サンプル画像４６１−６のテンプレートを「テンプレートＣ」として説明する。
【０２５２】
また、例えば、「テンプレートＡ」を用いて作成したおまけ画像を左側に立つ利用者用とし、「テンプレートＢ」を用いて作成したおまけ画像を右側に立つ利用者用とする場合の、その提供者とテンプレートとの組み合わせを「｛左：Ａ｝，｛右：Ｂ｝」と表現するものとする。
【０２５３】
この場合において、例えば「テンプレートＡ」と「テンプレートＢ」の２種類の中から異なる種類のテンプレートを無作為に選択するとしたとき、提供者とテンプレートとの組み合わせは、
１．｛左：Ａ｝，｛右：Ｂ｝
２．｛左：Ｂ｝，｛右：Ａ｝
の２パターンとなる。
【０２５４】
従って、例えば同じ２人の利用者が写真シール作成装置１を３回利用し、それぞれのゲームにおいておまけ画像の自動作成を行うとした場合、少なくとも３回目のプレイ時には、同じテンプレートを用いて作成されたおまけ画像が提供されることになる。なお、例えば「｛左：Ａ｝，｛右：Ａ｝」のパターンの場合、テンプレートの同じおまけ画像を提供することになるため、そのようなパターンは選択されない。
【０２５５】
これに対して、「テンプレートＡ」、「テンプレートＢ」、「テンプレートＣ」の３種類の中から異なるテンプレートを無作為に選択するとしたとき、提供者とテンプレートの組み合わせは、
１．｛左：Ａ｝，｛右：Ｂ｝
２．｛左：Ｂ｝，｛右：Ａ｝
３．｛左：Ａ｝，｛右：Ｃ｝
４．｛左：Ｃ｝，｛右：Ａ｝
５．｛左：Ｂ｝，｛右：Ｃ｝
６．｛左：Ｃ｝，｛右：Ｂ｝
の６パターンとなり、２種類の中から選択する場合と比べてパターン数が多くなる。
【０２５６】
すなわち、３種類の中から選択することにより、同じ２人の利用者がゲームを繰り返し行った場合であっても、同じテンプレートを用いて作成したおまけ画像を提供する確率を下げることが可能になり、利用者の満足度を高めることができる。なお、利用者が３人である場合には４種類の中から３種類のテンプレートを選択し、利用者が４人である場合には５種類の中から４種類のテンプレートを選択するといったように、人数に１を足した数のテンプレートの中から、人数分のテンプレートを無作為に選択するようにしてもよい。これによっても、無作為に選択した場合のテンプレートの組み合わせを多くすることが可能になる。
【０２５７】
図２８の説明に戻り、ステップＳ６３において、おまけ画像作成部３１１Ａは、１枚目の撮影画像に対して、選択したテンプレートに応じた画像処理を施し、おまけ画像を作成する。
【０２５８】
図２９は、自動作成処理によって作成されたおまけ画像の例を示す図である。
【０２５９】
図２９Ａ乃至Ｃのおまけ画像は、同じ１枚目の撮影画像を元にして、それぞれ、サンプル画像４６１−１のテンプレート（テンプレートＡ）、サンプル画像４６１−３のテンプレート（テンプレートＢ）、サンプル画像４６１−６のテンプレート（テンプレートＣ）を用いて作成されたおまけ画像である。
【０２６０】
このようなおまけ画像が作成された後、図１６のステップＳ１９に戻り、それ以降の処理が行われる。利用者は、例えば編集画像が印刷されたシール紙を受け取った後、自分の携帯端末を操作して、写真シール作成装置１の提供元のメーカが管理するサーバにアクセスし、シール紙に印刷されているIDを入力するなどして、おまけ画像を携帯端末に表示させることができる。
【０２６１】
利用者は、おまけ画像を携帯端末にダウンロードし、SNSにアップロードしたり、SNSのプロフィール画像に用いたりすることができる。おまけ画像の形状が正方形であるため、利用者は、トリミングなどの操作を行わないでも、ダウンロードしたおまけ画像をそのままSNSのサイトにアップロードすることができる。
【０２６２】
おまけ画像に機種名、名前、日付等が含まれるため、誰がどの機種を用いて作成した画像であるのかを、SNSにアップロードされたおまけ画像を見た第三者は確認することができる。その第三者は、自分も撮影したいと思ったときに、どの機種を使えばいいのかを容易に特定することができる。
【０２６３】
また、テンプレートを用いたおまけ画像の作成時、白色の背景に格子模様が付された背景画像が合成される。格子模様の画像を背景画像として用いることにより、おまけ画像の地の画像と、撮影画像の部分との境界を明確にすることができる。上述したように、撮影画像を配置する地の画像として白色の画像を用いたテンプレートがあるため、例えば背景画像として白色一色の画像を用いた場合、撮影画像と地の画像の境界が分かりづらくなる。
【０２６４】
以上のように、写真シール作成装置１においては、制限時間内に利用者がおまけ画像を作成しない場合であっても、おまけ画像が自動的に作成され、利用者に提供される。
【０２６５】
これにより、写真シール作成装置１は、撮影画像の編集に集中し、おまけ画像の作成にまで気が回らない利用者、あるいは、撮影画像の編集に時間がかかってしまい、おまけ画像の作成にまで制限時間内にたどり着けない利用者に対しても、おまけ画像を確実に提供することができる。
【０２６６】
また、利用者の中には、おまけ画像を作成することに対してあまり興味がない利用者もいるが、自動的に作成したおまけ画像を確認画面などで提示することにより、そのような利用者に対しても興味を持たせることができる。
【０２６７】
＜変形例＞
（１）１枚目の撮影画像を元にしておまけ画像の自動作成が行われるものとしたが、おまけ画像の元になる撮影画像を利用者が選択することができるようにしてもよい。
【０２６８】
また、全ての撮影画像を元にして複数のおまけ画像を作成し、任意の1枚を利用者に選択させるようにしてもよい。この場合、例えば１種類の同じテンプレートを用いた画像処理が全ての撮影画像に対して施され、複数のおまけ画像が作成される。おまけ画像の選択は、送信画像の選択画面で行われるようにしてもよいし、レイアウトの選択画面（分割数選択画面）で行われるようにしてもよい。
【０２６９】
１枚目の撮影画像を元にするのではなく、複数のアップ画像のうちの、最後に撮影されたアップ画像を元にしておまけ画像が作成されるようにしてもよい。通常、後に撮影された画像ほど、よい表情やポーズで写っていることが多いため、写りの良い撮影画像をおまけ画像の作成に用いることが可能になる。
【０２７０】
（２）左側に立つ利用者と右側に立つ利用者に対してそれぞれ1種類ずつ、合計2種類のおまけ画像が作成されるものとしたが、自動作成によって作成されるおまけ画像の数は1種類でもよい。
【０２７１】
これによっても、おまけ画像を作成していない利用者に対して、デザイン性の高いおまけ画像を提供することができる。また、おまけ画像を知らない利用者に対して、おまけ画像の作成機能をアピールすることができる。
【０２７２】
（３）左側に立つ利用者と右側に立つ利用者に対してそれぞれ２種類ずつ、合計４種類のおまけ画像が自動作成によって作成されるようにしてもよい。多い種類のおまけ画像を提供することにより、利用者の満足度を向上させることができる。なお、この場合、同じテンプレートを用いるものの、例えば加工の内容を一部変えて作成したおまけ画像を提供するようにしてもよいし、テンプレート自体を変えて作成したおまけ画像を提供するようにしてもよい。
【０２７３】
利用者の人数に応じて、利用者の人数と同じ数の種類のおまけ画像が作成されるようにしてもよい。
【０２７４】
（４）図２３のサンプル画像４６１−５，４６１−６のテンプレートは、同じ撮影画像を複数配置するテンプレートであるが、異なる撮影画像を複数配置したテンプレートとしてもよい。複数の撮影画像を用いることにより、デザイン性の高いおまけ画像を利用者に提供することができる。
【０２７５】
（５）横の長さと縦の長さの比が1：1.2のアップ画像の一部分をトリミングにより切り出して正方形の画像を生成し、おまけ画像として提供するようにしてもよい。この場合、顔などが途切れたりしないように、マスク画像を用いて人物の領域を抽出したり、顔認識等で顔のサイズ等を判別したりして、途切れないようにすることも可能である。
【０２７６】
（６）利用者が最も気に入っている撮影画像を元にして、おまけ画像を作成するようにしてもよい。この場合、例えば、編集画面において編集が施されている程度を判別し、最も編集が施されている撮影画像、または最も編集が施されていない撮影画像が選択され、おまけ画像の作成に用いられる。
【０２７７】
（７）おまけ画像を手動作成によって作成していない場合、制限時間の終了直前に「おまけ画像を作成してね！」等のメッセージをポップアップ表示するようにしもよい。これにより、おまけ画像の作成機能を知らない利用者に機能の存在を知らせることができる。
【０２７８】
＜＜実施例２＞＞
（１）おまけ画像として動画が提供されるようにしてもよい。おまけ画像用の動画は、例えば、複数枚の撮影画像を元にして、利用者の操作に応じて、または利用者の操作によらずに自動的に作成され、提供される。おまけ画像用の動画の作成機能を写真シール作成装置１が有する場合も同様に、編集画面の所定の位置に用意された作成ボタンが押されたとき、おまけ画像用の動画の手動作成が行われる。
【０２７９】
また、おまけ画像用の動画が、撮影時に撮影された動画を元にして作成されるようにしてもよい。この場合、撮影空間Ａ１における撮影時、利用者の選択に応じて動画撮影が行われる。例えば、撮影時に動画撮影が行われなかった場合、動画を元にしてはおまけ画像用の動画を作成することができないが、この場合、複数枚の撮影画像を元にして動画が作成され、おまけ画像用の動画として提供される。
【０２８０】
（２）利用者により選択されたパラメータとは異なるパラメータを用いた画像処理が自動的に行われるようにしてもよい。例えば、写りに関する選択画面においては、目や顔の大きさ、肌の明るさを、利用者はパラメータを選択することで調整することが可能とされる。
【０２８１】
例えば、顔の大きさのパラメータとして「大」、「中」、「小」の３段階のパラメータがあり、その中から利用者が「大」のパラメータを選択した場合、選択していない「中」、「小」のパラメータに応じた画像処理が自動的に行われる。その結果、「大」のパラメータに応じて顔の大きさを調整した撮影画像だけでなく、「中」と「小」のパラメータに応じて顔の大きさを調整した撮影画像が作成され、利用者に提示される。選択率が最も高いパラメータを用いた撮影画像が自動的に作成されるようにしてもよい。
【０２８２】
写真シール作成装置１に証明写真の作成機能が搭載されているものの、利用者が利用しなかった場合、証明写真が自動的に作成され、利用者に提供されるようにしてもよい。証明写真を自動的に作成する場合、写真シール作成装置１は、複数枚の撮影画像を対象として顔認識を行い、人物の顔が中央に配置されている撮影画像を元にしてトリミング等を行って証明写真を作成する。
【０２８３】
（３）ある撮影画像に対して利用者が手動で編集を施して得られた編集画像とは別に、それと同じ撮影画像に対して写真シール作成装置１により自動的に編集が施されることによって編集画像が作成され、利用者に提供されるようにしてもよい。例えば、選択率が高い編集ツールが選択され、自動編集に用いられる。選択率が高い編集ツールを自動編集に用いるか否かを利用者に選択させるようにしてもよい。
【０２８４】
（４）アップ画像の撮影と全身画像の撮影のいずれの撮影を行うかを撮影時に利用者に選択させる場合、選択されなかった方の画像を自動的に作成し、利用者に提供するようにしてもよい。
【０２８５】
この場合、例えば、ワイド端に近い画角で撮影が行われ、得られた１枚の撮影画像に対して２種類の範囲をトリミングにより切り出すことによって、１枚の撮影画像を元にしてアップ画像と全身画像が作成される。アップ画像の撮影が選択された場合には、そのようにして作成された全身画像が自動的に撮影された画像として利用者に提供される。また、全身画像の撮影が選択された場合には、そのようにして作成されたアップ画像が自動的に撮影された画像として利用者に提供される。
【０２８６】
（５）利用者が編集を施していない撮影画像に対して写真シール作成装置１が自動的に編集を施し、編集画像として提供するようにしてもよい。利用者が編集を施したか否かは、各撮影画像に設定された、合成用画像が配置されるレイヤ（前景画像のレイヤ）に対して入力があるか否かに基づいて判定される。これにより、編集時間が足りない場合などに、未編集の撮影画像をなくすことができる。
【０２８７】
（６）送信画像の選択画面において、おまけ画像と撮影画像の中から、任意の1枚を利用者が選択するようになっている場合、自動作成によって作成されたおまけ画像については、利用者による選択によらずに、自動的に、必ず送信されるようにしてもよい。
【０２８８】
＜＜実施例３＞＞
ここで、名前入力画面の機能について説明する。上述したように、編集画面を用いた編集の開始前、タブレット内蔵モニタ１４１に表示された名前入力画面に対して利用者の名前を入力することが可能とされる。
【０２８９】
図３０は、名前入力画面の例を示す図である。
【０２９０】
横長長方形の領域５０１の中央上方には名前の入力を促すメッセージが表示される。メッセージの下方左側の領域５０１Ｌが左側に立つ利用者用の領域であり、右側の領域５０１Ｒが右側に立つ利用者用の領域である。
【０２９１】
領域５０１Ｌの左上方に形成された顔画像表示領域５１１Ｌは、左側に立つ利用者の顔画像の表示領域である。顔画像表示領域５１１Ｌに表示される顔画像は、顔認識により撮影画像から特定された、撮影時に左側に立っている利用者の顔の画像である。
【０２９２】
顔画像表示領域５１１Ｌの上に形成された吹き出し形のサンプル表示領域５１２Ｌは、入力欄５１３Ｌまたは入力欄５１４Ｌに入力された名前を用いて生成されたサンプルコンテンツの表示領域である。編集時、サンプル表示領域５１２Ｌに表示されるコンテンツと同様の画像を、合成用画像として用いることができる。
【０２９３】
例えば、入力された名前を手書き風の文字で表した画像がサンプル表示領域５１２Ｌに表示される。サンプル表示領域５１２Ｌには、入力欄５１３Ｌまたは入力欄５１４Ｌに名前が入力される毎にリアルタイムでサンプルコンテンツが表示される。利用者は、サンプル表示領域５１２Ｌの表示から、編集時に用いることのできる合成用画像を確認することができる。
【０２９４】
入力欄５１３Ｌは、日本語で入力された名前の表示欄である。入力欄５１３Ｌには、キーボード表示領域５１５Ｌに表示された日本語入力用のボタンを用いて入力された名前が表示される。
【０２９５】
入力欄５１４Ｌは、英語、またはローマ字で入力された名前の表示欄である。入力欄５１４Ｌには、キーボード表示領域５１５Ｌに表示されたローマ字入力用または英語入力用のボタンを用いて入力された名前が表示される。入力欄５１４Ｌには、日本語で入力された名前をローマ字にした名前も表示される。
【０２９６】
キーボード表示領域５１５Ｌは、日本語入力用のボタン、英語入力用のボタン、またはローマ字入力用のボタンの表示領域である。利用者は、タッチペン１４２Ａを用いてボタンを押して名前を入力することになる。
【０２９７】
切り替えボタン５１６Ｌは、入力する文字の種類を切り替えるときに押されるボタンである。切り替えボタン５１６Ｌが押されたとき、キーボード表示領域５１５Ｌの表示が切り替わる。図３０の例においては、切り替えボタン５１６Ｌには「English」の文字が表示されている。
【０２９８】
タブレット内蔵モニタ１４１に向かって右側にいる利用者が使う領域５０１Ｒには、以上のような領域５０１Ｌの構成と同じ構成が位置を対称にして配置される。
【０２９９】
図３０の例においては、日本語入力用のボタンがキーボード表示領域５１５Ｌとキーボード表示領域５１５Ｒに表示されている。図３０の状態が、名前入力画面のデフォルトの状態である。「English」の文字が表示されている切り替えボタン５１６Ｌが押された場合、名前入力画面の状態は図３１に示す状態に切り替わる。
【０３００】
図３１のキーボード表示領域５１５Ｌには、英語入力用のボタンが表示されている。利用者は、キーボード表示領域５１５Ｌに表示されているボタンを用いて、自分の名前を英語で入力することができる。英語で入力された名前は入力欄５１４Ｌに表示される。
【０３０１】
なお、名前を英語で入力可能な図３１の状態のとき、入力欄５１３Ｌは表示されない。また、切り替えボタン５１６Ｌには「日本語」の文字が表示される。切り替えボタン５１６Ｌに表示されている「日本語」の文字は、切り替えボタン５１６Ｌを押すことによって、名前入力画面の状態が図３０の状態に戻ることを表す。
【０３０２】
一方、図３０の状態で入力欄５１４Ｌがタッチペン１４２Ａにより押された場合、名前入力画面の状態は図３２に示す状態に切り替わる。
【０３０３】
図３２のキーボード表示領域５１５Ｌには、ローマ字入力用のボタンが表示されている。利用者は、キーボード表示領域５１５Ｌに表示されているボタンを用いて、自分の名前をローマ字で入力することができる。ローマ字で入力された名前は入力欄５１４Ｌに表示される。
【０３０４】
また、切り替えボタン５１６Ｌには「English」の文字が表示される。切り替えボタン５１６Ｌに表示されている「English」の文字は、切り替えボタン５１６Ｌを押すことによって、名前入力画面の状態が図３１の状態に変わることを表す。なお、図３２の状態で入力欄５１３Ｌがタッチペン１４２Ａにより押された場合、名前入力画面の状態は図３０に示す状態に切り替わる。
【０３０５】
このように、利用者は、デフォルトの状態において、切り替えボタン５１６Ｌ，５１６Ｒを押すことで、名前を英語で入力可能な状態に切り替えることができる。また、デフォルトの状態において入力欄５１４Ｌ，５１４Ｒを押すことで、名前をローマ字で入力可能な状態に切り替えることができる。
【０３０６】
日本語の名前が入力された状態で、「English」の文字が表示されている切り替えボタン５１６Ｌが押された場合、名前入力画面の状態は、ポップアップ５２１Ｌが領域５０１Ｌに表示される、図３３に示す状態に切り替わる。
【０３０７】
図３３のポップアップ５２１Ｌには、名前を英語で入力可能な状態に切り替わる代わりに、入力済みの日本語の名前がリセットされることを表すメッセージが日本語で表示される。メッセージの下には、入力済みの名前がリセットされてもよいかどうかを選択するときに押されるボタン５３１Ｌ，５３２Ｌが表示される。
【０３０８】
一方、英語の名前が入力された状態で、「日本語」の文字が表示されている切り替えボタン５１６Ｒが押された場合、名前入力画面の状態は、ポップアップ５２１Ｒが領域５０１Ｒに表示される、図３３に示す状態に切り替わる。
【０３０９】
図３３のポップアップ５２１Ｒには、名前を日本語で入力可能な状態に切り替わる代わりに、入力済みの英語の名前がリセットされることを表すメッセージが英語で表示される。メッセージの下には、入力済みの名前がリセットされてもよいかどうかを選択するときに押されるボタン５３１Ｒ，５３２Ｒが表示される。
【０３１０】
本技術の実施の形態は、上述した実施の形態に限定されるものではなく、本技術の要旨を逸脱しない範囲において種々の変更が可能である。
【符号の説明】
【０３１１】
１  写真シール作成装置、  ３０１  撮影処理部，  ３０２  編集処理部、  ３０３  印刷処理部、  ３１１  画像処理部、  ３１１Ａ  おまけ画像作成部，  ３１２  表示制御部
【要約】
【課題】携帯端末に送信する専用の画像を確実に提供することで、利用者の満足度を高めることができるようにする。
【解決手段】本技術の写真シール作成装置は、利用者の携帯端末に送信されるための画像である携帯専用画像を作成することが利用者により選択されたか否かを判定し、携帯専用画像を作成することが選択されたと判定した場合、利用者の操作に応じた画像処理を撮影画像に施して携帯専用画像を作成し、携帯専用画像を作成することが選択されなかったと判定した場合、利用者の操作によらずに、所定の画像処理を撮影画像に施して携帯専用画像を作成する。本技術は、利用者を被写体として撮影することによって取得された撮影画像に対して編集を施し、編集が施された撮影画像をシール紙に印刷する装置に適用することができる。
【選択図】図１８【図１】
0006032378.tif 000002
【図２】
0006032378.tif 000003
【図３】
0006032378.tif 000004
【図４】
0006032378.tif 000005
【図５】
0006032378.tif 000006
【図６】
0006032378.tif 000007
【図７】
0006032378.tif 000008
【図８】
0006032378.tif 000009
【図９】
0006032378.tif 000010
【図１０】
0006032378.tif 000011
【図１１】
0006032378.tif 000012
【図１２】
0006032378.tif 000013
【図１３】
0006032378.tif 000014
【図１４】
0006032378.tif 000015
【図１５】
0006032378.tif 000016
【図１６】
0006032378.tif 000017
【図１７】
0006032378.tif 000018
【図１８】
0006032378.tif 000019
【図１９】
0006032378.tif 000020
【図２０】
0006032378.tif 000021
【図２１】
0006032378.tif 000022
【図２２】
0006032378.tif 000023
【図２３】
0006032378.tif 000024
【図２４】
0006032378.tif 000025
【図２５】
0006032378.tif 000026
【図２６】
0006032378.tif 000027
【図２７】
0006032378.tif 000028
【図２８】
0006032378.tif 000029
【図２９】
0006032378.tif 000030
【図３０】
0006032378.tif 000031
【図３１】
0006032378.tif 000032
【図３２】
0006032378.tif 000033
【図３３】
0006032378.tif 000034